(57)【要約】映画等の情報を、ネットワーク等を介して配布する場合に、より広範囲に且つ適切に当該情報の複写制限を行いつつ当該映画等の拡布を図ることが可能な情報配信システムを提供する。記録情報の質を変更する変更処理が実行される場合に適用される変更複写制御情報（ＸＣＩ１、ＸＣＩ２、ＸＭＩ１及びＸＸＩ２）と、上記変更処理を実行されない場合に適用される通常複写制御情報（ＣＣＩ１及びＣＣＩ２）と、を、記録情報に重畳して配信する。
2004025955.tif 000002
【特許請求の範囲】
【請求項１】
情報信号の質を変更する変更処理が実行される場合に適用される変更複写制御情報と、前記変更処理が実行されない場合に適用される通常複写制御情報と、を、前記情報信号に付与する付与手段を備えることを特徴とする情報生成装置。
【請求項２】
請求項１に記載の情報生成装置において、
前記変更処理は、前記情報信号の質を劣化させる質劣化処理であることを特徴とする情報生成装置。
【請求項３】
請求項１に記載の情報生成装置において、
前記情報信号が少なくとも画像情報を含んでいると共に、
前記変更処理は、前記画像情報に対応する画像を拡大する拡大処理又は当該画像を縮小する縮小処理のいずれか一方であることを特徴とする情報生成装置。
【請求項４】
請求項３に記載の情報生成装置において、
前記変更処理は、前記一方であり且つ当該一方が実行された前記画像情報に対して他の画像情報を重畳する処理であることを特徴とする情報生成装置。
【請求項５】
請求項１に記載の情報生成装置において、
前記変更処理は、広告用の広告情報を前記情報信号に対して重畳する重畳処理であることを特徴とする情報生成装置。
【請求項６】
請求項１に記載の情報生成装置において、
前記変更処理は、前記情報信号のデータ量を削減する削減処理であることを特徴とする情報生成装置。
【請求項７】
請求項１に記載の情報生成装置において、
前記変更複写制御情報は、前記通常複写制御情報により示される複写制限条件を緩和した複写制限条件を含んでいることを特徴とする情報生成装置。
【請求項８】
請求項１に記載の情報生成装置において、
前記付与手段は、前記変更複写制御情報と前記通常複写制御情報とを電子透かしにより前記情報信号に埋め込むことを特徴とする情報生成装置。
【請求項９】
情報信号を再生する情報再生装置において、
前記情報信号の質を変更する変更処理を行う変更手段と、
前記変更処理を実行して前記情報信号を再生するとき、当該再生後の情報信号に含まれる複写制御情報を前記変更処理が実行された場合に適用される値に設定する設定手段と、
を備えることを特徴とする情報再生装置。
【請求項１０】
請求項９に記載の情報再生装置において、
前記情報信号には、前記変更処理が実行される場合に適用される変更複写制御情報と、前記変更処理が実行されない場合に適用される通常複写制御情報と、が付与されており、
前記設定手段は、前記変更処理を実行して前記情報信号を再生するとき、当該再生後の情報信号に含まれる前記複写制御情報を前記変更複写制御情報が示す値に設定することを特徴とする情報再生装置。
【請求項１１】
請求項１０に記載の情報再生装置において、
前記設定手段は、前記変更処理を実行することなく前記情報信号を再生するとき、当該再生後の情報信号に含まれる前記複写制御情報の内容を前記通常複写制御情報の内容として設定することを特徴とする情報再生装置。
【請求項１２】
情報信号の質を変更したか否かを示す変換情報が付与された情報信号を再生する情報再生装置であって、
前記変換情報を検出する検出手段と、
前記検出された変換情報に基づいて前記質が変更されているか否かを判定する判定手段と、
前記質が変更されている時、再生後の前記情報信号に含まれる複写制御情報を前記変更が実行された場合に適用される値に設定する設定手段と、
を備えることを特徴とする情報再生装置。
【請求項１３】
情報信号を情報記録媒体に記録する情報記録装置であって、
前記情報信号の質を変更する変更処理を行う変更手段と、
前記情報信号を記録媒体に記録することが可能な前記変更処理の種類を選択する選択手段と、
前記選択された変更処理の実行により前記質が変更された前記情報信号を前記記録媒体に記録する記録手段と、
を備えることを特徴とする情報記録装置。
【請求項１４】
情報信号を記録媒体に記録する情報記録装置であって、
前記情報信号の質を変更する変更処理を行う変更手段と、
前記質が変更された前記情報信号を前記記録媒体に記録する第１の記録手段と、
前記情報信号の質が変更されたことを示す変換情報を前記記録媒体に記録する第２の記録手段と、
を備えることを特徴とする情報記録装置。
【請求項１５】
情報信号の質を変更する変更処理が実行される場合に適用される変更複写制御情報と、前記変更処理が実行されない場合に適用される通常複写制御情報と、を、前記情報信号に付与する付与工程を備えることを特徴とする情報生成方法。
【請求項１６】
情報信号を再生する情報再生方法において、
前記情報信号の質を変更する変更処理を行う変更工程と、
前記変更処理を実行して前記情報信号を再生するとき、当該再生後の情報信号に含まれる複写制御情報を前記変更処理が実行された場合に適用される値に設定する設定工程と、
を備えることを特徴とする情報再生方法。
【請求項１７】
情報信号の質を変更したか否かを示す変換情報が付与された情報信号を再生する情報再生方法であって、
前記変換情報を検出する検出工程と、
前記検出された変換情報に基づいて前記質が変更されているか否かを判定する判定工程と、
前記質が変更されている時、再生後の前記情報信号に含まれる複写制御情報を更処理が実行された場合に適用される値に設定する設定工程と、
を備えることを特徴とする情報再生方法。
【請求項１８】
情報信号を情報記録媒体に記録する情報記録方法であって、
前記情報信号の質を変更する変更処理を行う変更工程と、
前記情報信号を記録媒体に記録することが可能な前記変更処理の種類を選択する選択工程と、
前記選択された変更処理の実行により前記質が変更された前記情報信号を前記記録媒体に記録する記録工程と、
を備えることを特徴とする情報記録方法。
【請求項１９】
情報信号を記録媒体に記録する情報記録方法であって、
前記情報信号の質を変更する変更処理を行う変更工程と、
前記質が変更された前記情報信号を前記記録媒体に記録する第１の記録工程と、
前記情報信号の質が変更されたことを示す変換情報を前記記録媒体に記録する第２の記録工程と、
を備えることを特徴とする情報記録方法。
【請求項２０】
情報信号に対して当該情報信号の複写処理を制限するための複写制御情報を付与して当該情報信号に対応する著作権を保護する著作権保護方法であって、
前記複写制御情報には、前記情報信号の質に対応した複数の複写制御情報を含むことを特徴とする著作権保護方法。
【請求項２１】
情報生成装置に含まれる生成コンピュータを、
情報信号の質を変更する変更処理が実行される場合に適用される変更複写制御情報と、前記変更処理が実行されない場合に適用される通常複写制御情報と、を、前記情報信号に付与する付与手段として機能させることを特徴とする情報生成プログラム。
【請求項２２】
情報信号を再生する情報再生装置に含まれる再生コンピュータを、
前記情報信号の質を変更する変更処理を行う変更手段、及び、
前記変更処理を実行して前記情報信号を再生するとき、当該再生後の情報信号に含まれる複写制御情報を前記変更処理が実行された場合に適用される値に設定する設定手段、
として機能させることを特徴とする情報再生プログラム。
【請求項２３】
情報信号の質を変更したか否かを示す変換情報が付与された情報信号を再生する情報再生装置に含まれる再生コンピュータを、
前記変換情報を検出する検出手段、及び、
前記検出された変換情報に基づいて前記質が変更されているか否かを判定する判定手段と、
前記質が変更されている時、再生後の前記情報信号に含まれる複写制御情報を前記変更が実行された場合に適用される値に設定する設定手段、
として機能させることを特徴とする情報再生プログラム。
【請求項２４】
情報信号を情報記録媒体に記録する情報記録装置に含まれる記録コンピュータを、
前記情報信号の質を変更する変更処理を行う変更手段、
前記情報信号を記録媒体に記録することが可能な前記変更処理の種類を選択する選択手段、
前記選択された変更処理の実行により前記質が変更された前記情報信号を前記記録媒体に記録する記録手段、
として機能させることを特徴とする情報記録プログラム。
【請求項２５】
情報信号を記録媒体に記録する情報記録装置に含まれる記録コンピュータを、
前記情報信号の質を変更する変更処理を行う変更手段、
前記質が変更された前記情報信号を前記記録媒体に記録する第１の記録手段、及び、
前記情報信号の質が変更されたことを示す変換情報を前記記録媒体に記録する第２の記録手段、
として機能させることを特徴とする情報記録プログラム。
【請求項２６】
請求項２１に記載の情報生成プログラムが、前記生成コンピュータにより読み取り可能に記録されていることを特徴とする情報記録媒体。
【請求項２７】
請求項２２又は２３に記載の情報再生プログラムが、前記再生コンピュータにより読み取り可能に記録されていることを特徴とする情報記録媒体。
【請求項２８】
請求項２４又は２５に記載の情報記録プログラムが、前記記録コンピュータにより読み取り可能に記録されていることを特徴とする情報記録媒体。
【請求項２９】
情報信号の質を変更する変更処理が実行される場合に適用される変更複写制御情報と、前記変更処理が実行されない場合に適用される通常複写制御情報と、が付与された情報信号が記録される情報記録領域を備えることを特徴とする記録媒体。
【請求項３０】
情報信号の質を変更したか否かを示す変換情報が付与された情報信号が記録される情報記録領域を備えることを特徴とする記録媒体。
【発明の詳細な説明】
【技術分野】  本願は、情報生成装置、情報再生装置及び情報記録装置等の技術分野に属し、より詳細には、光ディスク等の記録媒体又は放送電波を介して配布又は配信される情報を生成するための情報生成装置、当該配布又は配信された情報を再生するための情報再生装置並びに当該配布又は配信された情報を他の記録媒体に記録するための情報記録装置等の技術分野に属する。
【背景技術】  近年、従来のＣＤ（Ｃｏｍｐａｃｔ  Ｄｉｓｃ）に対して数倍の記録容量を備えるいわゆるＤＶＤ（Ｄｉｇｉｔａｌ  Ｖｅｒｓａｔｉｌｅ  Ｄｉｓｃ）が広く一般化しつつある。そして、当該ＤＶＤには、その大記録容量が故に例えば映画一本分の動画像情報及びそれに対応した音声情報を記録することが可能とされている。
一方、当該ＤＶＤに記録することが可能な上記映画等は、いわゆる著作権法により保護されているのが一般的であり、より具体的には例えば他の記録媒体へ段階的に複写すること（すなわち、例えば再生専用のＤＶＤから正規に映画等を記録可能なＤＶＤに複写記録し、次にその一回複写記録したＤＶＤから更に当該映画等の複写記録を繰り返すこと）が許可される段階数が予め決められていることが多い。そして、当該映画等をＤＶＤから再生するプレーヤ等においては、その決められた複写記録段階数より多く複写を繰り返そうとすると当該映画等のＤＶＤからの再生自体が不能となるように構成されている。
このとき、上述したような規定段階数以上の複写記録の実行を防止するための具体的な方策としては、例えば、再生専用のＤＶＤからの複写記録が一回のみ正規に許可されている映画等があるとすると、当該再生専用のＤＶＤには、その映画等に対応する記録情報と共にその複写許可回数が一回のみであることを示す複写制御情報（一般には、ＣＣＩ（Ｃｏｐｙ  Ｃｏｎｔｒｏｌ  Ｉｎｆｏｒｍａｔｉｏｎ）情報と称されることもある）が特定の改竄防止処理（例えば、いわゆるウオーターマーク化）が施されて記録されている。そして、その映画等を正規に複写記録する場合には、その複写記録の処理と共に元々記録されていた複写制御情報の内容を「一回のみ複写記録可能（Ｏｎｅ  Ｍｏｒｅ  Ｃｏｐｙ）」なる内容から「複写記録禁止（Ｎｏ  Ｍｏｒｅ  Ｃｏｐｙ）」なる内容へ変更して記録することが為される。これにより、当該一回複写記録された映画等を段階的にもう一回複写記録しようとしても、そのときに当該映画等と共にＤＶＤに記録されている複写制御情報の内容が「複写記録禁止」なる内容であることから、この更なる複写記録のための記録情報のＤＶＤからの再生自体が不可能となり、結果として不法な複写記録の実行を防止できるのである。
一方、従来のＤＶＤに記録されている複写制御情報としては、一種類の映画等に対しては当該複写制御情報は一種類のみとされているのが通常であり、当該映画等が再生時において画質を劣化させて再生されようが、画質についてはそのまま維持されつつ再生されようが、複写制限条件としては一種類の映画等に対しては一の条件を画一的に適用しているのみであった。
他方、近年においては、上記映画等がその視聴者に配布される経路として、再生専用のＤＶＤを当該視聴者に対して販売又は貸し出すという従来からの方法以外に、例えばインターネット等のネットワークを介して電子化状態のままで配信される配布経路が開拓されつつある。そして、当該ネットワークを介して映画等が配信（配布）される場合には、その配布経路上において様々な画質変換処理が施されるのが通常であり、それ故、一の映画等が複数種類の画質（又は音質。以下、画質等と称する）でもって配布される場合が通常となってきている。
しかしながら、上述したように映画等が種々の画質により様々な経路を経て配布されるようになりつつあるにも拘わらず、その不法複写を防止するための上記複写制御情報としては一種類の映画等に対しては一の条件を画一的に適用しているのみであったので、結果として、高画質で配信される映画等であっても、それより低い画質で配信される同じ映画等であっても、同じ複写制御条件により配布しなければならないという問題点があった。
そして、この問題点は、例えば低画質の映画等を配信する場合には複写自由として当該映画等の視聴者への浸透を図りつつ、それが一般に認知された時点で高画質の同じ映画等を複写制限付きで配布する如き配布態様が実現できず、結果として当該映画等の効果的な配布ができないと言う問題点に繋がるものである。
【発明の開示】
そこで、本願は、上記の問題点に鑑みて為されたもので、その課題の一例は、例えば、映画等の情報をネットワーク等を介して配布する場合に、より広範囲に且つ適切に当該情報の複写制限を行いつつ当該映画等の拡布を図ることが可能な情報生成装置及び当該記録された情報を再生するための情報再生装置並びに当該配布される情報を記録媒体に記録する情報記録装置等を提供することにある。
上記の課題の一例を解決するために、第一の本発明は、情報信号の質を変更する変更処理が実行される場合に適用される変更複写制御情報と、前記変更処理が実行されない場合に適用される通常複写制御情報と、を、前記情報信号に付与する付与手段を備える情報生成装置により、上述した課題の一例を解決した。
この第一の本発明によれば、変更複写制御情報と、通常複写制御情報と、が情報信号に付与されるので、当該情報信号の復調時又は記録時における質等の変化の有無に応じてその後の複写制限の内容を変更することができ、当該情報信号に係る著作権を有効に保護することができる。
更に第一の本発明の好ましい一態様は、前記変更処理が、前記情報信号の質を劣化させる質劣化処理であることを特徴とする。
この一態様によれば、変更処理が情報信号の質を劣化させる質劣化処理であるので、情報信号の復調時又は記録時における質等の劣化の有無に応じてその後の複写制限の内容を変更することができ、当該情報信号に係る著作権を有効に保護することができる。
更にまた、第一の本発明の好ましい一態様は、前記情報信号が少なくとも画像情報を含んでいると共に、前記変更処理は、前記画像情報に対応する画像を拡大する拡大処理又は当該画像を縮小する縮小処理のいずれか一方であることを特徴とする。
この一態様によれば、情報信号が少なくとも画像情報を含んでいると共に、変更処理が画像情報に対応する画像を拡大する拡大処理又は当該画像を縮小する縮小処理のいずれか一方であるので、画像情報を含む情報信号の復調時又は記録時における当該画像の拡大又は縮小の処理の実行の有無に応じてその後の複写制限の内容を変更することができ、当該画像情報に係る著作権を有効に保護することができる。
また、第一の本発明の好ましい一態様は、前記変更処理が、前記画像情報に対応する画像を拡大する拡大処理又は当該画像を縮小する縮小処理のいずれか一方であり且つ当該一方が実行された前記画像情報に対して他の画像情報を重畳する処理であることを特徴とする。
この一態様によれば、変更処理が画像情報に対応する画像を拡大する拡大処理又は当該画像を縮小する縮小処理のいずれか一方であり、且つ当該一方が実行された画像情報に対して他の画像情報を重畳する処理であるので、画像情報を含む情報信号の復調時又は記録時における当該画像の拡大又は縮小の処理及び他の画像の重畳処理の実行の有無に応じてその後の複写制限の内容を変更することができ、当該画像情報に係る著作権を有効に保護することができる。
更に、第一の本発明の好ましい一態様は、前記変更処理が、広告用の広告情報を前記情報信号に対して重畳する重畳処理であることを特徴とする。
この一態様によれば、変更処理が広告情報を情報信号に対して重畳する重畳処理であるので、情報信号の復調時又は記録時における広告情報の重畳の有無に応じてその後の複写制限の内容を変更することができ、当該画像情報に係る著作権を有効に保護することができる。
更にまた、第一の本発明の好ましい一態様は、前記変更処理が、前記情報信号のデータ量を削減する削減処理であることを特徴とする。
この一態様によれば、変更処理が情報信号のデータ量を削減する削減処理であるので、情報信号の復調時又は記録時における当該削減処理の実行の有無に応じてその後の複写制限の内容を変更することができ、当該画像情報に係る著作権を有効に保護することができる。
また、第一の本発明の好ましい一態様は、前記変更複写制御情報が前記通常複写制御情報により示される複写制限条件を緩和した複写制限条件を含んでいることを特徴とする。
この一態様によれば、変更複写制御情報が通常複写制御情報により示される複写制限条件を緩和した複写制限条件を含んでいるので、情報信号の復調時又は記録時における質等の変化の有無に応じてその後の複写制限の制限内容を緩和することができ、当該情報信号に係る著作権を有効に保護することができる。
更に、第一の本発明の好ましい一態様は、前記付与手段が、前記変更複写制御情報と前記通常複写制御情報とを電子透かしにより前記情報信号に埋め込むことを特徴とする。
この一態様によれば、変更複写制御情報と通常複写制御情報とを電子透かしにより情報信号に埋め込むので、変更複写制御情報及び通常複写制御情報の不法な取得を困難としてより効果的に情報信号に係る著作権を有効に保護することができる。
上記の課題の一例を解決するために、第二の本発明は、情報信号を再生する情報再生装置において、前記情報信号の質を変更する変更処理を行う変更手段と、前記変更処理を実行して前記情報信号を再生するとき、当該再生後の情報信号に含まれる複写制御情報を前記変更処理が実行された場合に適用される値に前記変更複写制御情報の内容として設定する設定手段と、を備える情報再生装置により、上述した課題の一例を解決した。
この第二の本発明によれば、情報信号に対する変更処理を実行して情報信号を再生するとき、当該再生後の情報信号に含まれる複写制御情報を変更処理が実行された場合に適用される値に設定するので、当該変更処理後の情報信号につき、当該情報信号に係る著作権を有効に保護することができる。
また、第二の本発明の好ましい一態様は、前記情報信号には、前記変更処理が実行される場合に適用される変更複写制御情報と、前記変更処理が実行されない場合に適用される通常複写制御情報と、が付与されており、前記設定手段は、前記変更処理を実行して前記情報信号を再生するとき、当該再生後の情報信号に含まれる前記複写制御情報を前記変更複写制御情報が示す値に設定することを特徴とする。
この一態様によれば、変更処理を実行して情報信号を再生するとき、当該再生後の情報信号に含まれる複写制御情報を変更複写制御情報が示す値として設定するので、変更複写制御情報に従って、当該情報信号に係る著作権を有効に保護することができる。
また、第二の本発明の好ましい一態様は、前記設定手段が、前記変更処理を実行することなく前記情報信号を再生するとき、当該再生後の情報信号に含まれる前記複写制御情報の内容を前記通常複写制御情報の内容として設定することを特徴とする。
この一態様によれば、情報信号に対する変更処理を実行することなく情報信号を再生するとき、当該再生後の情報信号に含まれる複写制御情報の内容を通常複写制御情報の内容として設定するので、変更処理が実行されない情報信号についても、当該情報信号に係る著作権を有効に保護することができる。
上記の課題の一例を解決するために、第三の本発明は、情報信号の質を変更したか否かを示す変換情報が付与された情報信号を再生する情報再生装置であって、前記変換情報を検出する検出手段と、前記検出された変換情報に基づいて前記質が変更されているか否かを判定する判定手段と、前記質が変更されている時、再生後の前記情報信号に含まれる複写制御情報の内容を前記変更が実行された場合に適用される値に設定する設定手段と、を備える情報再生装置により、上述した課題の一例を解決した。
この第三の本発明によれば、情報信号に対する変更処理を実行して情報信号を再生するとき、当該再生後の情報信号に含まれる複写制御情報の内容を変更が実行された場合に適用される値に設定するので、当該変更処理後の情報信号につき、当該情報信号に係る著作権を有効に保護することができる。
上記の課題の一例を解決するために、第四の本発明は、情報信号を情報記録媒体に記録する情報記録装置であって、前記情報信号の質を変更する変更処理を行う変更手段と、前記情報信号を記録媒体に記録することが可能な前記変更処理の種類を選択する選択手段と、前記選択された変更処理の実行により前記質が変更された前記情報信号を前記記録媒体に記録する記録手段と、を備える情報記録装置により、上述した課題の一例を解決した。
この第四の本発明によれば、情報信号を記録することが可能な変更処理の種類を選択し、その選択された変更処理の実行により質が変更された情報信号を記録媒体に記録するので、当該情報信号に係る著作権を有効に保護することができる。
上記の課題の一例を解決するために、第五の本発明は、情報信号を記録媒体に記録する情報記録装置であって、前記情報信号の質を変更する変更処理を行う変更手段と、前記質が変更された前記情報信号を前記記録媒体に記録する第１の記録手段と、前記情報信号の質が変更されたことを示す変換情報を前記記録媒体に記録する第２の記録手段と、を備える情報記録装置により、上述した課題の一例を解決した。
この第五の本発明によれば、変更処理が実行された情報信号と共に変換情報が記録媒体に記録されるので、当該記録媒体の再生時において、当該変換情報の内容に基づいて質の変更処理が実行されたか否かを判定し、その判定結果により再生後の情報信号に含まれる複写制御情報を、複写制御情報の内容を変更が実行された場合に適用される値に設定でき、当該質が変更される情報信号に係る著作権を有効に保護することができる。
上記の課題の一例を解決するために、第六の本発明は、情報信号の質を変更する変更処理が実行される場合に適用される変更複写制御情報と、前記変更処理が実行されない場合に適用される通常複写制御情報と、を、前記情報信号に付与する付与工程を備える情報生成方法により、上述した課題の一例を解決した。
この第六の本発明によれば、変更複写制御情報と、通常複写制御情報と、が情報信号に付与されるので、当該情報信号の復調時又は記録時における質等の変化の有無に応じてその後の複写制限の内容を変更することができ、当該情報信号に係る著作権を有効に保護することができる。
上記の課題の一例を解決するために、第七の本発明は、情報信号を再生する情報再生方法において、前記情報信号の質を変更する変更処理を行う変更工程と、前記変更処理を実行して前記情報信号を再生するとき、当該再生後の情報信号に含まれる複写制御情報を前記変更処理が実行された場合に適用される値に設定する設定工程と、を備える情報再生方法により、上述した課題の一例を解決した。
この第七の本発明によれば、情報信号に対する変更処理を実行して情報信号を再生するとき、当該再生後の情報信号に含まれる複写制御情報を変更処理が実行された場合に適用される値に設定するので、当該変更処理後の情報信号につき、当該情報信号に係る著作権を有効に保護することができる。
上記の課題の一例を解決するために、第八の本発明は、情報信号の質を変更したか否かを示す変換情報が付与された情報信号を再生する情報再生方法であって、前記変換情報を検出する検出工程と、前記検出された変換情報に基づいて前記質が変更されているか否かを判定する判定工程と、前記質が変更されている時、再生後の前記情報信号に含まれる複写制御情報の内容を前記変更が実行された場合に適用される値に設定する設定工程と、を備える情報再生方法により、上述した課題の一例を解決した。
この第八の本発明によれば、情報信号に対する変更処理を実行して情報信号を再生するとき、当該再生後の情報信号に含まれる複写制御情報の内容を変更が実行された場合に適用される値に設定するので、当該変更処理後の情報信号につき、当該情報信号に係る著作権を有効に保護することができる。
上記の課題の一例を解決するために、第九の本発明は、情報信号を情報記録媒体に記録する情報記録方法であって、前記情報信号の質を変更する変更処理を行う変更工程と、前記情報信号を記録媒体に記録することが可能な前記変更処理の種類を選択する選択工程と、前記選択された変更処理の実行により前記質が変更された前記情報信号を前記記録媒体に記録する記録工程と、を備える情報記録方法により、上述した課題の一例を解決した。
この第九の本発明によれば、情報信号を記録することが可能な変更処理の種類を選択し、その選択された変更処理の実行により質が変更された情報信号を記録媒体に記録するので、当該情報信号に係る著作権を有効に保護することができる。
上記の課題の一例を解決するために、第十の本発明は、情報信号を記録媒体に記録する情報記録方法であって、前記情報信号の質を変更する変更処理を行う変更工程と、前記質が変更された前記情報信号を前記記録媒体に記録する第１の記録工程と、前記情報信号の質が変更されたことを示す変換情報を前記記録媒体に記録する第２の記録工程と、を備える情報記録方法により、上述した課題の一例を解決した。
この第十の本発明によれば、変更処理が実行された情報信号と共に変換情報とが記録媒体に記録されるので、当該記録媒体の再生時において、当該変換情報の内容に基づいて質の変更処理が実行されたか否かを判定し、その判定結果により再生後の情報信号に含まれる複写制御情報を、複写制御情報の内容を変更処理が実行された場合に適用される値に設定でき、当該質が変更される情報信号に係る著作権を有効に保護することができる。
上記の課題の一例を解決するために、第十一の本発明は、情報信号に対して当該情報信号の複写処理を制限するための複写制御情報を付与して当該情報信号に対応する著作権を保護する著作権保護方法であって、前記複写制御情報には、前記情報信号の質に対応した複数の複写制御情報を含む著作権保護方法により、上述した課題の一例を解決した。
この第十一の本発明によれば、情報信号の質に対応した複数の複写制御情報を含むので、夫々の質が相互に異なる複数種類の情報信号につき、各情報信号に係る著作権を有効に保護することができる。
上記の課題の一例を解決するために、第十二の本発明は、情報生成装置に含まれる生成コンピュータを、情報信号の質を変更する変更処理が実行される場合に適用される変更複写制御情報と、前記変更処理が実行されない場合に適用される通常複写制御情報と、を、前記情報信号に付与する付与手段として機能させる情報生成プログラムにより、上述した課題の一例を解決した。
この第十二の本発明によれば、変更複写制御情報と、通常複写制御情報と、が情報信号に付与されるように生成コンピュータが機能するので、当該情報信号の復調時又は記録時における質等の変化の有無に応じてその後の複写制限の内容を変更することができ、当該情報信号に係る著作権を有効に保護することができる。
上記の課題の一例を解決するために、第十三の本発明は、情報信号を再生する情報再生装置に含まれる再生コンピュータを、前記情報信号の質を変更する変更処理を行う変更手段、及び、前記変更処理を実行して前記情報信号を再生するとき、当該再生後の情報信号に含まれる複写制御情報を変更処理が実行された場合に適用される値に設定する設定手段、として機能させる情報再生プログラムにより、上述した課題の一例を解決した。
この第十三の本発明によれば、情報信号に対する変更処理を実行して情報信号を再生するとき、当該再生後の情報信号に含まれる複写制御情報を前記変更処理が実行された場合に適用される値に設定するように再生コンピュータが機能するので、当該変更処理後の情報信号につき、当該情報信号に係る著作権を有効に保護することができる。
上記の課題の一例を解決するために、第十四の本発明は、情報信号の質を変更したか否かを示す変換情報が付与された情報信号を再生する情報再生装置に含まれる再生コンピュータを、前記変換情報を検出する検出手段、及び、前記検出された変換情報に基づいて前記質が変更されているか否かを判定する判定手段と、前記質が変更されている時、再生後の前記情報信号に含まれる複写制御情報を前記変更処理が実行された場合に適用される値に設定する設定手段、として機能させる情報再生プログラムにより、上述した課題の一例を解決した。
この第十四の本発明によれば、情報信号に対する変更処理を実行して情報信号を再生するとき、当該再生後の情報信号に含まれる複写制御情報を変更処理が実行された場合に適用される値に設定するように再生コンピュータが機能するので、当該変更処理後の情報信号につき、当該情報信号に係る著作権を有効に保護することができる。
上記の課題の一例を解決するために、第十五の本発明は、情報信号を情報記録媒体に記録する情報記録装置に含まれる記録コンピュータを、前記情報信号の質を変更する変更処理を行う変更手段、前記情報信号を記録媒体に記録することが可能な前記変更処理の種類を選択する選択手段、前記選択された変更処理の実行により前記質が変更された前記情報信号を前記記録媒体に記録する記録手段、として機能させる情報記録プログラムにより、上述した課題の一例を解決した。
この第十五の本発明によれば、情報信号を記録することが可能な変更処理の種類を選択し、その選択された変更処理の実行により質が変更された情報信号を記録媒体に記録するように記録コンピュータが機能するので、当該情報信号に係る著作権を有効に保護することができる。
上記の課題の一例を解決するために、第十六の本発明は、情報信号を記録媒体に記録する情報記録装置に含まれる記録コンピュータを、前記情報信号の質を変更する変更処理を行う変更手段、前記質が変更された前記情報信号を前記記録媒体に記録する第１の記録手段、及び、前記情報信号の質が変更されたことを示す変換情報を前記記録媒体に記録する第２の記録手段、として機能させる情報記録プログラムにより、上述した課題の一例を解決した。
この第十六の本発明によれば、変更処理が実行された情報信号と共に変換情報が記録媒体に記録されるように記録コンピュータが機能するので、当該記録媒体の再生時において、当該変換情報の内容に基づいて質の変更処理が実行されたか否かを判定し、その判定結果により再生後の情報信号に含まれる複写制御情報を、複写制御情報の内容を変更が実行された場合に適用される値に設定でき、当該質が変更される情報信号に係る著作権を有効に保護することができる。
上記の課題の一例を解決するために、第十七の本発明は、第十二の本発明に係る情報生成プログラムが、前記生成コンピュータにより読み取り可能に記録されている情報記録媒体により、上述した課題の一例を解決した。
この第十七の本発明によれば、当該情報生成プログラムを生成コンピュータで読み出して実行することにより、変更複写制御情報と、通常複写制御情報と、が情報信号に付与されるように当該生成コンピュータが機能するので、当該情報信号の復調時又は記録時における質等の変化の有無に応じてその後の複写制限の内容を変更することができ、当該情報信号に係る著作権を有効に保護することができる。
上記の課題の一例を解決するために、第十八の本発明は、第十三又は十四の本発明に係る情報再生プログラムが、前記再生コンピュータにより読み取り可能に記録されている情報記録媒体により、上述した課題の一例を解決した。
この第十八の本発明によれば、第十三の本発明に係る情報再生プログラムが記録されている場合には、当該情報再生プログラムを再生コンピュータで読み出して実行することにより、情報信号に対する変更処理を実行して情報信号を再生するとき、当該再生後の情報信号に含まれる複写制御情報を変更処理が実行された場合に適用される値に設定するように当該再生コンピュータが機能するので、当該変更処理後の情報信号につき、当該情報信号に係る著作権を有効に保護することができる。
また、第十四の本発明に係る情報再生プログラムが記録されている場合には、当該情報再生プログラムを再生コンピュータで読み出して実行することにより、情報信号に対する変更処理を実行して情報信号を再生するとき、当該再生後の情報信号に含まれる複写制御情報を変更処理が実行された場合に適用される値に設定するように再生コンピュータが機能するので、当該変更処理後の情報信号につき、当該情報信号に係る著作権を有効に保護することができる。
上記の課題の一例を解決するために、第十九の本発明は、第十五又は十六の本発明に係る情報記録プログラムが、前記記録コンピュータにより読み取り可能に記録されている情報記録媒体により、上述した課題の一例を解決した。
この第十九の本発明によれば、第十五の本発明に係る情報記録プログラムが記録されている場合には、当該情報記録プログラムを記録コンピュータで読み出して実行することにより、情報信号を記録することが可能な変更処理の種類を選択し、その選択された変更処理の実行により質が変更された情報信号を記録媒体に記録するように当該記録コンピュータが機能するので、当該情報信号に係る著作権を有効に保護することができる。
また、第十六の本発明に係る情報記録プログラムが記録されている場合には、当該情報記録プログラムを再生コンピュータで読み出して実行することにより、変更処理が実行された情報信号と共に変換情報が記録媒体に記録されるように記録コンピュータが機能するので、当該記録媒体の再生時において、当該変換情報の内容に基づいて質の変更処理が実行されたか否かを判定し、質が変更されている時、再生後の前記情報信号に含まれる複写制御情報を前記変更が実行された場合に適用される値に設定することができ、当該質が変更された情報信号に係る著作権を有効に保護することができる。
上記の課題の一例を解決するために、第二十の本発明は、情報信号の質を変更する変更処理が実行される場合に適用される変更複写制御情報と、前記変更処理が実行されない場合に適用される通常複写制御情報と、が付与された情報信号が記録される情報記録領域を備える記録媒体により、上述した課題の一例を解決した。
この第二十の本発明によれば、変更複写制御情報と、通常複写制御情報と、が付与された情報信号が記録されているので、当該情報信号の復調時又は記録時における質等の変化の有無に応じてその後の複写制限の内容を変更することができ、当該情報信号に係る著作権を有効に保護することができる。
上記の課題の一例を解決するために、第二十一の本発明は、情報信号の質を変更したか否かを示す変換情報が付与された情報信号が記録される情報記録領域を備える記録媒体により、上述した課題の一例を解決した。
この第二十の本発明によれば、変換情報が記録媒体に記録されているので、当該記録媒体の再生時において、当該変換情報の内容に基づいて質の変更処理が実行されたか否かを判定し、質が変更されている時、再生後の前記情報信号に含まれる複写制御情報を前記変更が実行された場合に適用される値に設定することができ、当該質が変更された情報信号に係る著作権を有効に保護することができる。
【図面の簡単な説明】  図１は、第１実施形態に係るＤＶＤにおける情報の記録態様を示す図である。
図２は、第１実施形態に係るＤＶＤに記録されている情報の具体的内容を示す図（Ｉ）であり、（ａ）は第１情報テーブルの具体的内容を示す図であり、（ｂ）は変換前後の複写制御情報の内容の比較を示す表であり、（ｃ）は第２情報テーブルの具体的内容を示す図である。
図３は、第１実施形態に係るＤＶＤに記録されている情報の具体的内容を示す図（ＩＩ）であり、（ａ）は複写制御情報の具体的内容を示す図（Ｉ）であり、（ｂ）は複写制御情報の具体的内容を示す図（ＩＩ）である。
図４は、第１実施形態に係るＤＶＤに記録されている情報の具体的内容を示す図（ＩＩＩ）であり、（ａ）は変換後複写制御情報の具体的内容を示す図（Ｉ）であり、（ｂ）は変換後複写制御情報の具体的内容を示す図（ＩＩ）であり、（ｃ）は変換後複写制御情報の具体的内容を示す図（ＩＩＩ）であり、（ｄ）は変換後複写制御情報の具体的内容を示す図（ＩＶ）である。
図５は、第１実施形態に係る情報再生装置の概要構成を示すブロック図である。
図６は、第１実施形態に係る情報再生装置における再生動作を示すフローチャートである。
図７は、第２実施形態に係る情報伝達システムの概要構成を示すブロック図である。
図８は、第２実施形態に係る映像送出装置の概要構成を示すブロック図である。
図９は、第２実施形態に係る情報伝送システムにおいて伝送される記録情報の態様を示す図である。
図１０は、第２実施形態に係る記録情報の具体的内容を示す図であり、（ａ）は具体的内容を示す図（Ｉ）であり、（ｂ）は具体的内容を示す図（ＩＩ）である。
図１１は、第２実施形態に係るセットトップボックスの概要構成を示すブロック図である。
図１２は、第２実施形態に係る受信動作を示すフローチャートである。
図１３は、第２実施形態に係るレコーダの概要構成を示すブロック図である。
図１４は、第２実施形態に係る記録動作を示すフローチャートである。
図１５は、第３実施形態に係る記録情報の具体的内容を示す図であり、（ａ）は副情報テーブルの具体的内容を示す図（Ｉ）であり、（ｂ）は副情報テーブルの具体的内容を示す図（ＩＩ）である。
図１６は、第４実施形態に係る情報再生動作を示すフローチャートである。
図１７は、第５実施形態に係るＤＶＤに記録されている情報の具体的内容を示す図である。
図１８は、第５実施形態に係るレコーダの概要構成を示すブロック図である。
図１９は、第５実施形態に係るレコーダにおける記録動作を示すフローチャートである。
図２０は、第６実施形態に係るレコーダにおける記録処理を示すフローチャートである。
図２１は、第６実施形態に係るＤＶＤプレーヤにおける再生処理を示すフローチャートである。
図２２は、第７実施形態に係るＤＶＤプレーヤにおける再生処理を示すフローチャートである。
【発明を実施するための最良の形態】  次に、本願に好適な実施の形態について、図面に基づいて説明する。
なお、以下に説明する各実施の形態は、ＤＶＤに記録されて配布される、或いは放送電波又はインターネット等のネットワークを介して配信される映画等の情報であって、その配信先の情報再生装置等による再生処理においてその画質等を変換する（劣化させる）変換処理が施される情報を当該配布又は配信するための情報伝達システムに対して本願を適用した場合の実施の形態である。
（Ｉ）第１実施形態
始めに、情報が記録された再生専用のＤＶＤを配布するに当たって上述した再生制限等を行う場合に対して本願を適用した実施の形態である第１実施形態について、図１乃至図６を用いて説明する。
なお、図１は第１実施形態に係るＤＶＤにおける情報の記録態様を示す図であり、図２乃至図４は当該ＤＶＤに記録されている情報の具体的内容を示す図であり、図５は当該ＤＶＤに記録されている情報を再生する情報再生装置（ＤＶＤプレーヤ）の概要構成を示すブロック図であり、図６は当該ＤＶＤプレーヤにおいて実行される再生動作を示すフローチャートである。
先ず、第１実施形態に係る再生専用のＤＶＤに記録されている情報の記録態様について、図１乃至図３を用いて説明する。
なお、以下の説明の前提として、第１実施形態に係るＤＶＤには、当該ＤＶＤに記録されている情報の再生が許可されている国又は領域を示す情報（以下、当該ＤＶＤ内に記録されている当該国又は領域を示す情報をディスクリージョン情報と称する）が記録されているものとする。
図１最上段に示すように、第１実施形態に係る再生専用のＤＶＤ１は、その内周側から、情報が何ら記録されていない未記録領域ＮＡと、後述する記録領域ＵＤ内に記録されている記録情報を再生するに当たって最初に読み出すべき制御情報等が記録されているリードインエリアＬＩと、実際に再生すべき上記記録情報等が後述する用に暗号化されて記録されている上記記録領域ＵＤと、当該記録情報の再生処理を終了するに当たって読み出すべき終了情報等が記録されているリードアウトエリアＬＯと、により構成されている。
また、記録領域ＵＤは、その内周側から、再生すべき上記記録情報における情報の階層構造を示すファイルシステム情報等が記録されているファイルシステム情報領域ＦＡと、当該記録情報の再生態様を制御するためのいわゆるナビゲーション情報（より具体的には、当該記録情報を構成する各部分記録情報の再生順序を示す順序情報や、当該各部分記録情報のＤＶＤ１上の記録位置を示すアドレス情報等を含む）が記録されているナビゲーション情報領域ＮＶと、再生すべき当該記録情報自体が記録されている記録情報領域ＤＴと、により構成されている。
次に、第１実施形態に係る上記記録情報の記録態様について詳説する。
先ず、当該記録情報には、図１上から二段目に示すように、複数枚の静止画像により構成される動画像であるビデオ情報ＶＤと、音声情報又は音情報のみを含むオーディオ情報ＡＤと、が夫々に一又は複数個含まれており、このうちビデオ情報ＶＤは複数のセクタ情報ＳＴにより構成されている。
このとき、一のセクタ情報ＳＴは、図１上から三段目に示すように、その先頭から、それが含まれているセクタ情報ＳＴをビデオ情報ＶＤ内において識別するためのセクタ情報番号を含む識別情報ＩＤと、当該識別情報ＩＤの検出時におけるエラー訂正を行うためのエラー訂正コードが含まれている訂正情報ＦＴと、セクタ情報ＳＴ内に記録されている画像情報を再生後に複写する場合にその回数を制限するための複写制御情報ＩＦと、識別情報ＩＤ等以外の実際に表示されるべき画像情報ＤＡと、により構成されている。ここで、上記複写制御情報ＩＦとしては、後述する如き全世界を八つの地域に分割した夫々の地域毎に、画像情報ＤＡとして記録されている記録情報の複写が自由に認められているか、一回のみ当該複写記録が認められているか、或いは全く認められていないかを示す複写制御情報が格納されている。
そして、各セクタ情報ＳＴ内の画像情報ＤＡ内には、第１実施形態に係るディスクリージョン情報等が記述されている情報テーブルＴＢが夫々に含まれている。なお、この情報テーブルＴＢは、換言すれば再生専用のＤＶＤ１に対応する情報テーブルであると言えるものである。
次に、上記各セクタ情報ＳＴに画像情報ＤＡとして含まれている各静止画像について詳説すると、図１最下段に示すように、当該静止画像としてのフレームＦには、上記情報テーブルＴＢとして記述されているディスクリージョン情報等がいわゆるウオーターマークＷＭとして一ビットずつ八箇所（すなわち、一フレームＦにつき八ビットずつ）に埋め込まれている。このとき、一の情報テーブルＴＢ内に含まれるべきディスクリージョン情報が複数のフレームＦに渡って埋め込まれている。そして、画像情報ＤＡの再生時には、当該ウオーターマークＷＭとして埋め込まれている情報テーブルＴＢの内容を検出・解読することにより、当該情報テーブルＴＢ内のディスクリージョン情報に則った再生制限等が実行される。
次に、各セクタ情報ＳＴ内に含まれている再生専用のＤＶＤ１としての情報テーブルＴＢの内容について、図２乃至図４を用いて詳説する。
すなわち、図２（ａ）及び（ｃ）に示すように、当該情報テーブルＴＢとしては、第１情報テーブルＴＢ１（合計５６バイト。図２（ａ）参照）と、第２情報テーブルＴＢ２（合計５６バイト。図２（ｃ）参照）と、が含まれている。このとき、各情報テーブルＴＢは夫々に５６バイトの情報量を有しているので、結果として図１における１１２個（５６個×２）のフレームＦに含まれるウオーターマークＷＭにより一の情報テーブルＴＢが構成されることとなる。
そして、第１情報テーブルＴＢ１には、図２（ａ）に示すように、第１バイト目から、後続する情報が第１情報テーブルＴＢ１に含まれている情報であることを示すヘッダ情報ＨＤ（１バイト）と、全世界を八つの地域に分割したうちの四つの地域についての複写制御情報である第１複写制御情報ＣＣＩ１（１バイト）と、当該八つの地域のうちの他の四つの地域についての複写制御情報である第２複写制御情報ＣＣＩ２（１バイト）と、第１複写制御情報ＣＣＩ１と同様の四つの地域について、当該各地域においてＤＶＤ１に記録されている記録情報が再生される際にその画質等を劣化させる画質劣化処理が施されるとき、その画質劣化処理を伴う再生処理後の記録情報に含ませるべき複写制御情報である第１変換後第１複写制御情報ＸＣＩ１（１バイト）と、第２複写制御情報ＣＣＩ２と同様の他の四つの地域について、当該各地域においてＤＶＤ１に記録されている記録情報が再生される際に上記画質劣化処理が施されるとき、その画質劣化処理を伴う再生処理後の記録情報に含ませるべき複写制御情報である第１変換後第２複写制御情報ＸＣＩ２（１バイト）と、第１複写制御情報ＣＣＩ１と同様の四つの地域について、当該各地域においてＤＶＤ１に記録されている記録情報が再生される際に上記第１変換後第１複写制御情報ＸＣＩ１の場合よりも更に画質等を劣化させる画質劣化処理が施されるとき、その画質劣化処理を伴う再生処理後の記録情報に含ませるべき複写制御情報である第２変換後第１複写制御情報ＸＸＩ１（１バイト）と、第２複写制御情報ＣＣＩ２と同様の他の四つの地域について、当該各地域においてＤＶＤ１に記録されている記録情報が再生される際に上記第１変換後第２複写制御情報ＸＣＩ２の場合よりも更に画質等を劣化させる画質劣化処理が施されるとき、その画質劣化処理を伴う再生処理後の記録情報に含ませるべき複写制御情報である第２変換後第２複写制御情報ＸＸＩ２（１バイト）と、ＤＶＤ１に記録されている記録情報を再生することが許可されている国又は地域を示すディスクリージョン情報としての再生可能地域情報ＰＡ（１バイト）と、何ら情報が有意な情報が含まれていない予備情報Ｒ（３１バイト）と、画像情報ＤＡの再生時において第１情報テーブルＴＢ１を検出する際の誤り訂正に用いられるエラー訂正情報ＥＣＣ（１７バイト）と、が含まれている。
ここで、上述した第１変換後第１複写制御情報ＸＣＩ１、第１変換後第２複写制御情報ＸＣＩ２、第２変換後第１複写制御情報ＸＸＩ１及び第２変換後第２複写制御情報ＸＸＩ２の内容について説明する。当該内容として具体的には、図２（ｂ）に表として示すように、ＤＶＤ１が配布された時点における記録情報（上記第１複写制御情報ＣＣＩ１及び第２複写制御情報ＣＣＩ２により示される複写制限条件が適用される）の画質等に対して予め設定された第一の段階の画質劣化処理が施される場合にあっては、第１変換後第１複写制御情報ＸＣＩ１及び第１変換後第２複写制御情報ＸＣＩ２の内容としては、上記各地域毎に、上記第１複写制御情報ＣＣＩ１又は第２複写制御情報ＣＣＩ２において「複写禁止」とされている地域についてはその地域に対応する第１変換後第１複写制御情報ＸＣＩ１又は第１変換後第２複写制御情報ＸＣＩ２の内容は「一回のみ複写許可」とされており、上記第１複写制御情報ＣＣＩ１又は第２複写制御情報ＣＣＩ２において「一回のみ複写許可」とされている地域についてはその地域に対応する第１変換後第１複写制御情報ＸＣＩ１又は第１変換後第２複写制御情報ＸＣＩ２の内容は「自由複写許可」とされており、更に上記第１複写制御情報ＣＣＩ１又は第２複写制御情報ＣＣＩ２において「自由複写許可」とされている地域についてはその地域に対応する第１変換後第１複写制御情報ＸＣＩ１又は第１変換後第２複写制御情報ＸＣＩ２の内容は同じく「自由複写許可」とされている。
また、ＤＶＤ１が配布された時点における記録情報の画質等に対して予め設定された第二の段階の画質劣化処理（上記第一の段階の画質劣化処理よりも更に画質を劣化させる処理）が施される場合にあっては、第１変換後第１複写制御情報ＸＣＩ１及び第１変換後第２複写制御情報ＸＣＩ２の内容としては、上記第１複写制御情報ＣＣＩ１又は第２複写制御情報ＣＣＩ２において「複写禁止」とされている地域、同じく「一回のみ複写許可」とされている地域或いは同じく「自由複写許可」とされている地域のいずれについても各地域に夫々対応する第１変換後第１複写制御情報ＸＣＩ１又は第１変換後第２複写制御情報ＸＣＩ２の内容は「自由複写許可」とされている。
なお、記録情報の再生時において上記した画質劣化処理のいずれもが施されず画質の劣化が全くない状態で再生される場合には、図２（ｂ）に併せて示すように、第１複写制御情報ＣＣＩ１又は第２複写制御情報ＣＣＩ２の内容は何ら変更されないこととなる。
一方、第２情報テーブルＴＢ２には、図２（ｃ）に示すように、第１バイト目から、後続する情報が第２情報テーブルＴＢ２に含まれている情報であることを示すヘッダ情報ＨＤ（１バイト）と、全世界を八つの地域に分割した各地域について、ＤＶＤ１から再生された記録情報が他の光ディスク等の記録媒体に記録された後に再度再生されることが認められている地域を示す情報であるディスクリージョン情報としての記録後再生可能地域情報ＲＰ（１バイト）と、当該八つの各地域について、ＤＶＤ１から再生された記録情報が他の光ディスク等の記録媒体に記録された後に更に他の記録媒体に複写記録されることが認められている地域を示す情報であるディスクリージョン情報としての記録後記録可能地域情報ＲＲ（１バイト）と、当該八つの各地域について、ＤＶＤ１から再生された記録情報が他の光ディスク等の記録媒体に記録された後に予め設定された時間経過後に再生されること（いわゆるタイムシフト再生処理されること）が認められている地域を示す情報であるディスクリージョン情報としての記録後タイムシフト可能地域情報ＲＴ（１バイト）と、何ら情報が有意な含まれていない予備情報Ｒ（３５バイト）と、画像情報ＤＡの再生時において第２情報テーブルＴＢ２を検出する際の誤り訂正に用いられるエラー訂正情報ＥＣＣ（１７バイト）と、が含まれている。
次に、第１情報テーブルＴＢ１の詳細について図３及び図４を用いて説明する。
先ず、当該第１情報テーブルＴＢ１に含まれている第１複写制御情報ＣＣＩ１は、図３（ａ）に示すように、上記八つの地域のうちの一つである第一地域（例えば北米）に適用される複写制御情報である第１地域用複写制御情報ＡＣＣＩ１（２ビット）と、上記八つの地域のうちの他の一つである第二地域（例えば日本）に適用される複写制御情報である第２地域用複写制御情報ＡＣＣＩ２（２ビット）と、上記八つの地域のうちの更に他の一つである第三地域（例えばヨーロッパ）に適用される複写制御情報である第３地域用複写制御情報ＡＣＣＩ３（２ビット）と、上記八つの地域のうちの一つである第四地域に適用される複写制御情報である第４地域用複写制御情報ＡＣＣＩ４（２ビット）と、により構成されている。
また、第１情報テーブルＴＢ１に含まれている第２複写制御情報ＣＣＩ２は、図３（ｂ）に示すように、上記八つの地域のうちの一つである第五地域に適用される複写制御情報である第５地域用複写制御情報ＡＣＣＩ５（２ビット）と、上記八つの地域のうちの他の一つである第六地域に適用される複写制御情報である第６地域用複写制御情報ＡＣＣＩ６（２ビット）と、上記八つの地域のうちの更に他の一つである第七地域に適用される複写制御情報である第７地域用複写制御情報ＡＣＣＩ７（２ビット）と、上記八つの地域のうちの一つである第八地域に適用される複写制御情報である第８地域用複写制御情報ＡＣＣＩ８（２ビット）と、により構成されている。
ここで、図３に示す各地域用複写制御情報ＡＣＣＩの内容として具体的に、上記第１地域に対応する第１地域用複写制御情報ＡＣＣＩ１を例として説明すると、ＤＶＤ１に記録されている記録情報が第一地域内では複写制限されていない（換言すれば自由に複写記録することが許可されている）場合には当該第１地域用複写制御情報ＡＣＣＩ１は「００ｂ（「ｂ」は二進数であることを示している。以下、同様）」とされ、当該記録情報が第一地域内では一回のみ複写記録が許可されている場合には当該第１地域用複写制御情報ＡＣＣＩ１は「１０ｂ」とされ、当該記録借報が第一地域内では複写記録が全く許可されていない場合には当該第１地域用複写制御情報ＡＣＣＩ１は「１１ｂ」とされている。なお、第１地域用複写制御情報ＡＣＣＩ１の値としての「０１ｂ」は予備として通常は用いられていていない。
次に、第１情報テーブルＴＢ１に含まれている第１変換後第１複写制御情報ＸＣＩ１は、図４（ａ）に示すように、上記第一地域に適用される複写制御情報であって上記した第一の段階の画質劣化処理が再生時において施される場合に適用される複写制御情報である第１地域用第１変換後複写制御情報ＡＸＣＩ１（２ビット）と、上記第二地域に適用される複写制御情報であって上記第一の段階の画質劣化処理が施される場合に適用される複写制御情報である第２地域用第１変換後複写制御情報ＡＸＣＩ２（２ビット）と、上記第三地域に適用される複写制御情報であって上記第一の段階の画質劣化処理が施される場合に適用される複写制御情報である第２地域用第１変換後複写制御情報ＡＸＣＩ３（２ビット）と、上記第四地域に適用される複写制御情報であって上記第一の段階の画質劣化処理が施される場合に適用される複写制御情報である第２地域用第１変換後複写制御情報ＡＸＣＩ４（２ビット）と、により構成されている。
また、第１情報テーブルＴＢ１に含まれている第１変換後第２複写制御情報ＸＣＩ２は、図４（ｂ）に示すように、上記第五地域に適用される複写制御情報であって上記した第一の段階の画質劣化処理が再生時において施される場合に適用される複写制御情報である第５地域用第１変換後複写制御情報ＡＸＣＩ５（２ビット）と、上記第六地域に適用される複写制御情報であって上記第一の段階の画質劣化処理が施される場合に適用される複写制御情報である第６地域用第１変換後複写制御情報ＡＸＣＩ６（２ビット）と、上記第七地域に適用される複写制御情報であって上記第一の段階の画質劣化処理が施される場合に適用される複写制御情報である第７地域用第１変換後複写制御情報ＡＸＣＩ７（２ビット）と、上記第八地域に適用される複写制御情報であって上記第一の段階の画質劣化処理が施される場合に適用される複写制御情報である第８地域用第１変換後複写制御情報ＡＸＣＩ８（２ビット）と、により構成されている。
次に、第１情報テーブルＴＢ１に含まれている第２変換後第１複写制御情報ＸＸＩ１は、図４（ｃ）に示すように、上記第一地域に適用される複写制御情報であって上記した第二の段階の画質劣化処理が再生時において施される場合に適用される複写制御情報である第１地域用第２変換後複写制御情報ＡＸＸＩ１（２ビット）と、上記第二地域に適用される複写制御情報であって上記第二の段階の画質劣化処理が施される場合に適用される複写制御情報である第２地域用第２変換後複写制御情報ＡＸＸＩ２（２ビット）と、上記第三地域に適用される複写制御情報であって上記第二の段階の画質劣化処理が施される場合に適用される複写制御情報である第３地域用第１変換後複写制御情報ＡＸＸＩ３（２ビット）と、上記第四地域に適用される複写制御情報であって上記第二の段階の画質劣化処理が施される場合に適用される複写制御情報である第５地域用第１変換後複写制御情報ＡＸＸＩ４（２ビット）と、により構成されている。
最後に、第１情報テーブルＴＢ１に含まれている第２変換後第２複写制御情報ＸＸＩ１は、図４（ｄ）に示すように、上記第五地域に適用される複写制御情報であって上記した第二の段階の画質劣化処理が再生時において施される場合に適用される複写制御情報である第５地域用第２変換後複写制御情報ＡＸＸＩ５（２ビット）と、上記第六地域に適用される複写制御情報であって上記第二の段階の画質劣化処理が施される場合に適用される複写制御情報である第６地域用第２変換後複写制御情報ＡＸＸＩ６（２ビット）と、上記第七地域に適用される複写制御情報であって上記第二の段階の画質劣化処理が施される場合に適用される複写制御情報である第７地域用第２変換後複写制御情報ＡＸＸＩ７（２ビット）と、上記第八地域に適用される複写制御情報であって上記第二の段階の画質劣化処理が施される場合に適用される複写制御情報である第８地域用第２変換後複写制御情報ＡＸＸＩ８（２ビット）と、により構成されている。
ここで、図４に夫々示す各地域用変換後複写制御情報ＡＸＣＩ又はＡＸＸＩの内容として具体的には、各地域毎且つ画質劣化処理の段階毎に、図２（ｂ）に示す内容を有する複写制御情報が記述されていることとなる。
次に、第１情報テーブルＴＢ１に含まれている再生可能地域情報ＰＡには、上記した八つの地域毎にＤＶＤ１に記録されている記録情報の再生がその地域で許可されているか否かを示す情報が、各地域毎に１ビットずつ割り当てられている。
そして、各地域用の再生可能情報ＰＡの値として具体的には、上記各地域の夫々について、ＤＶＤ１に記録されている記録情報がその地域において再生可能とされているときには当該地域に対応する再生可能情報は「１ｂ」なる値を有し、それがその地域において再生可能とされていないときは当該地域に対応する再生可能情報は「０ｂ」なる値を有する。
更に、第２情報テーブルＴＢ２に含まれている記録後再生可能地域情報ＲＰには、上記した八つの地域毎に、ＤＶＤ１に記録されている記録情報が再生されて他の記録媒体（より具体的には記録可能な光ディスク等）に記録された後に再生されることがその地域で許可されているか否かを示す情報が、各地域毎に１ビットずつ割り当てられている。
そして、各地域用の記録後再生可能情報ＲＰの値として具体的には、上記各地域の夫々について、ＤＶＤ１に記録されている記録情報が再生されて他の記録媒体に記録された後に再生されることがその地域で許可されているときには当該地域に対応する記録後再生可能情報は「１ｂ」なる値を有し、それがその地域において再生されて他の記録媒体に記録された後に再生されることが許可されていないときは当該地域に対応する記録後再生可能情報は「０ｂ」なる値を有する。
次に、第２情報テーブルＴＢ２に含まれている記録後記録可能地域情報ＲＲには、上記した八つの地域毎に、ＤＶＤ１に記録されている記録情報が再生されて他の記録媒体に記録された後に更に他の記録媒体に複写記録されることが認められているか否かを示す情報が、各地域毎に１ビットずつ割り当てられている。
そして、各地域用の記録後記録可能情報ＲＲの値として具体的には、上記各地域の夫々について、ＤＶＤ１に記録されている記録情報が再生されて他の記録媒体に記録された後に更に他の記録媒体に複写記録されることが可能とされているときには当該地域に対応する記録後記録可能情報ＲＲは「１ｂ」なる値を有し、それがその地域において複写記録可能とされていないときは当該地域に対応する記録後記録可能情報は「０ｂ」なる値を有する。
最後に、第２情報テーブルＴＢ２に含まれている記録後タイムシフト可能地域情報ＲＴには、上記した八つの地域毎に、ＤＶＤ１から再生された記録情報が他の記録媒体に記録された後にタイムシフト再生処理されることが認められている地域を示す情報が、各地域毎に１ビットずつ割り当てられている。
そして、各地域用の記録後タイムシフト可能地域情報ＲＴの値として具体的には、上記各地域の夫々について、ＤＶＤ１に記録されている記録情報が他の記録媒体に記録された後にタイムシフト再生処理されることがその地域において可能とされているときには当該地域に対応する記録後タイムシフト可能地域情報ＲＴは「１ｂ」なる値を有し、それがその地域においてタイムシフト再生処理可能とされていないときは当該地域に対応する記録後タイムシフト可能地域情報ＲＴは「０ｂ」なる値を有する。
次に、上述した態様で各記録情報が記録されているＤＶＤ１から当該記録情報を再生する処理を行う情報再生装置としてのＤＶＤプレーヤの実施形態について、図５及び図６を用いて説明する。
なお、図５は当該ＤＶＤプレーヤの概要構成を示すブロック図であり、図６は当該ＤＶＤプレーヤにおける再生処理を示すフローチャートである。
なお、以下の説明の前提として、第１実施形態に係るＤＶＤプレーヤには、当該ＤＶＤプレーヤが設置されて動作すべき国又は領域を示す情報（当該国又は領域を示す情報を、以下、リージョン情報と称する）が記憶されているものとする。
図５に示すように、第１実施形態に係る再生専用のＤＶＤ１からそれに記録されている記録情報を再生して出力するＤＶＤプレーヤＰは、ピックアップ１０と、スピンドルモータ１１と、サーボ制御部１２と、ＲＦ（Ｒａｄｉｏ  Ｆｒｅｑｕｅｎｃｙ）アンプ１３と、信号処理回路１４と、デスクランブル回路１５と、ＭＰＥＧ（Ｍｏｖｉｎｇ  Ｐｉｃｔｕｒｅ  Ｅｘｐｅｒｔ  Ｇｒｏｕｐ）デコーダ１６と、ウオーターマーク挿入部１６ａと、Ｄ／Ａ（Ｄｉｇｉｔａｌ／Ａｎａｌｏｇ）コンバータ１７と、付加回路１７ａと、スクランブル回路１８と、通信インターフェース１９と、ウオーターマーク検出部６と、付与手段、変更手段、設定手段及び出力手段としてのシステム制御部７と、により構成されており、上記サーボ制御部１２、信号処理回路１４、デスクランブル回路１５、スクランブル回路１８、通信インターフェース１９、ウオーターマーク検出部６及びシステム制御部７は、相互に制御情報等の授受が可能となるようにバス８により接続されている。また、システム制御部７内にはＤＶＤプレーヤＰが設置されて動作すべき国又は領域を示すリージョン情報が記憶されている。
次に、動作を説明する。
先ず、ＤＶＤ１には、上述したように再生されるべき記録情報が予め設定された圧縮方式（より具体的には、いわゆるＭＰＥＧ方式等）により圧縮されて記録されている。更に、当該記録情報は予め設定されている暗号化方式により暗号化されて記録されていると共に、上記した第１情報テーブルＴＢ１及び第２情報テーブルＴＢ２が記録情報中の各フィールドＦ毎に上記ウオーターマークＷＭとして埋め込まれている。
また、ＤＶＤプレーヤＰは、上記記録情報をＤＶＤ１から再生し復号処理することなく通信インターフェース１９を介してディジタル的に外部のネットワーク等に対して出力すること、及び当該記録情報を再生して復号し、これをアナログ情報として図示しないディスプレイ又はスピーカ等に直接出力することの双方が可能とされている。
ＤＶＤ１から記録情報を再生する場合に、ＤＶＤプレーヤＰにおいては、始めに、後述するスピンドル制御信号Ｓｓｂに基づいて駆動されるスピンドルモータ１１が予め設定されている回転速度でＤＶＤ１を回転させる。
そして、ピックアップ１０は、当該回転するＤＶＤ１に対して再生用の一定強度の光ビームＢを照射し、当該光ビームＢのＤＶＤ１からの反射光を受光して当該記録されている記録情報に対応する検出信号Ｓｐｐを生成し、ＲＦアンプ１３に出力する。
このとき、光ビームＢの集光位置とＤＶＤ１上の再生すべき記録情報が記録されている情報トラックの位置とのずれは、サーボ制御部１２から出力されるピックアップサーボ信号Ｓｓｐにより、当該光ビームＢを当該情報トラック上に集光させるための図示しない対物レンズの位置を変化させるための図示しないアクチュエータを駆動することにより解消される。
そして、ＲＦアンプ１３は、当該検出信号Ｓｐｐを増幅し、ＲＦ信号Ｓｒｆとして信号処理回路１４へ出力する。
次に、信号処理回路１４は、バス８を介したシステム制御部７の制御の下、ＲＦ信号Ｓｒｆに対して波形整形等の処理を施し、処理信号Ｓｄｃを生成してデスクランブル回路１５へ出力する。
そして、デスクランブル回路１５は、バス８を介したシステム制御部７の制御の下、処理信号Ｓｄｃに含まれている記録情報に施されている上記暗号化を解読し、解読信号Ｓｄｄを生成してウオーターマーク挿入部１６ａ及びスクランブル回路１８並びにウオーターマーク検出部６に出力する。
これにより、ウオーターマーク検出部６は、バス８を介したシステム制御部７の制御の下、解読信号Ｓｄｄに含まれている上記第１情報テーブルＴＢ１及び第２情報テーブルＴＢ２を検出し、その内容をシステム制御部７に出力する。
そして、システム制御部７は、当該出力された第１情報テーブルＴＢ１及び第２情報テーブルＴＢ２の内容に基づいて、ＤＶＤ１内の記録情報に対する再生制限処理を行うように上記各構成部材を制御する。
なお、上述したウオーターマーク検出部６の細部の具体的な構成としては、例えば、特開平１１−９８３４１号公報における段落番号［００３５］乃至［００５３］及び図３に開示された構成を有するウオーターマーク検出部が適当である。
一方、解読信号Ｓｄｄが出力されるウオーターマーク挿入部１６ａは、当該解読信号Ｓｄｄに対してアナログ的に再生された後の画像情報に対して挿入すべきウオーターマークを挿入し、挿入解読信号Ｓｉｎｓを生成してＭＰＥＧデコーダ１６に出力する。
そして、ＭＰＥＧデコーダ１６は、当該挿入解読信号Ｓｉｎｓに施されている上記圧縮方式に対応する伸張方式により挿入解読信号Ｓｉｎｓに含まれている記録情報を伸張し、伸張信号Ｓａを生成してＤ／Ａコンバータ１７へ出力する。このとき、当該ＭＰＥＧデコーダ１６においては、ＤＶＤプレーヤＰにおける再生処理が上記した第一の段階の画像劣化処理又は第二の段階の画像劣化処理のいずれか一方を伴うべき再生処理であると予め設定されているときは、上記した伸張処理と並行して必要な画質劣化処理を行い、上記伸張信号Ｓａを生成する。
そして、Ｄ／Ａコンバータ１７は、当該伸張信号Ｓａをアナログ化し、アナログ出力信号Ｓａｏｏを生成して付加回路１７ａに出力する。
その後、付加回路１７ａは、再生されたアナログ出力信号Ｓａｏｏに対して、ウオーターマークとしてウオーターマーク挿入部１６ａにより挿入されている複写制御情報と同じ内容の複写制御情報をアナログ的に重畳し、アナログ出力信号Ｓａｏを生成して上記したディスプレイ又はスピーカ等に出力する。
他方、解読信号Ｓｄｄが出力されるスクランブル回路１８は、バス８を介したシステム制御部７の制御の下、通信インターフェース１９において予め設定された暗号化キーを用いた暗号化処理により解読信号Ｓｄｄを再度暗号化し、暗号化信号Ｓｓｃを生成して通信インターフェース部１９へ出力する。このとき、暗号化信号Ｓｓｃに含まれている記録情報に対しては、いわゆる復号処理及び上記画質劣化処理は実行されずにそのまま通信インターフェース１９に出力されていることとなる。
そして、通信インターフェース１９は、バス８を介したシステム制御部７の制御の下、暗号化信号Ｓｓｃに対して予め設定された出力インターフェース処理を施し、復調情報Ｓｐとして外部のネットワーク等へ出力する。
これらの各構成部材の動作に並行して、システム制御部７は、上記した再生制限処理を実行すると共に、当該各構成部材の動作を統括制御する。
次に、上述した構成を有するＤＶＤプレーヤＰにおいて実行されるＤＶＤ１からの情報再生処理（上記各複写制御情報に基づく再生制限処理を含む）であって上記画質劣化処理を伴う情報再生処理について、図６に示すフローチャートを用いて纏めて説明する。なお、以下の説明では、ＤＶＤ１に記録されている記録情報を上記アナログ出力信号Ｓａｏとして上記したディスプレイ又はスピーカ等に出力する場合の処理について説明する。
図６に示すように、第１実施形態に係る情報再生処理においては、初めに、再生すべき記録情報が記録されているＤＶＤ１上の記録位置に再生用の光ビームＢを照射し、当該記録位置に記録されていたセクタ情報ＳＴ（図１参照）を読み出し、更にその中から上記識別情報ＩＤを検出する（ステップＳ１）。
次に、当該識別情報ＩＤに引き続いて再生されるセクタ情報ＳＴ内の情報を読み取り、それが暗号化されているか否かを確認する（ステップＳ２）。そして、暗号化されていないときは（ステップＳ２；ＮＯ）そのまま後述するステップＳ４へ移行し、一方、暗号化されているときは（ステップＳ２；ＹＥＳ）、上記デスクランブル回路１５においてその暗号化を解読し（ステップＳ３）、当該解読処理を行いつつ記録情報を読み出す（ステップＳ４）。
次に、当該記録情報の読み出し中においては常に必要な情報の読み出しが完了したか否かを監視し（ステップＳ５）、完了していないときは（ステップＳ５；ＮＯ）引き続き次のセクタ情報ＳＴ内の記録情報を再生すべくステップＳ１に戻り、一方、必要な記録情報の読み出しが完了しているときは（ステップＳ５；ＹＥＳ）、当該読み出した記録情報（解読信号Ｓｄｄ）をアナログ出力信号Ｓａｏとして出力すべくＭＰＥＧデコーダ１６において復号する（ステップＳ６）と共に、当該解読信号Ｓｄｄに含まれている上記セクタ情報ＳＴに対応する情報からウオーターマークＷＭを検出する（ステップＳ７）。
そして、ウオーターマークＷＭが検出できたか否かを確認し（ステップＳ８）、検出できないときは（ステップＳ８；ＮＯ）、現在ＤＶＤプレーヤＰに装填されているＤＶＤ１に記録されている記録情報に対して何ら再生制限処理を行う必要が無いとしてそのまま後述するステップＳ１８の処理へ移行し、一方、ウオーターマークＷＭが検出できたときは（ステップＳ８；ＹＥＳ）、次に、システム制御部７内に記憶されているＤＶＤプレーヤＰに対応するリージョン情報を取得し（ステップＳ９）、更にウオーターマーク検出部６において、上記ステップＳ８において検出されたウオーターマークＷＭから上記第１情報テーブルＴＢ１及び第２情報テーブルＴＢ２の内容を抽出して解読し、ディスクリージョン情報としての上記再生可能地域情報ＰＡ等を取得する（ステップＳ１０）。
次に、当該取得した再生可能地域情報ＰＡに基づいて、上記ステップＳ９において取得していたリージョン情報により示される地域、すなわち、ＤＶＤプレーヤＰが設置されて動作すべき国又は領域においてＤＶＤ１に記録されていた記録情報が再生可能とされているか否かを確認する（ステップＳ１１）。そして、当該再生可能地域情報ＰＡによりＤＶＤプレーヤＰの設置地域が記録情報の再生可能地域とされていないときは（ステップＳ１１；ＮＯ）、当該記録情報はＤＶＤプレーヤＰによっては再生することができないことから、当該ＤＶＤプレーヤＰにおけるＤＶＤ１に記録されている記録情報の再生を強制終了させるべく当該ＤＶＤプレーヤＰを初期化し（ステップＳ１３）、更に当該記録情報が再生できない旨の警告を図示しないディスプレイ等において行い（ステップＳ１４）、一連の再生処理を終了する。
一方、ステップＳ１１の判定において、再生可能地域情報ＰＡによりＤＶＤプレーヤＰの設置地域が記録情報の再生可能地域とされているときは（ステップＳ１１；ＹＥＳ）、次に、検出されている各セクタ情報ＳＴ内の複写制御情報ＩＦの内容と検出されている（ステップＳ７及びＳ８）上記第１情報テーブルＴＢ１内の各地域用複写制御情報ＡＣＣＩの内容とを夫々確認し、上記リージョン情報により示される地域に対応する複写制御情報ＩＦの内容と当該地域に対応する各地域用複写制御情報ＡＣＣＩの内容とが一致しているか否か（すなわち、いずれか一方について不法な改竄処理が実行されているか否か）を確認する（ステップＳ１２）。
そして、リージョン情報により示される地域に対応する複写制御情報ＩＦの内容と当該地域に対応する各地域用複写制御情報ＡＣＣＩの内容とが一致しているときは（ステップＳ１２；ＹＥＳ）、ＤＶＤ１に対する不法な改竄処理等は施されていないとして、次に、現在実行されている情報再生処理が上記した画質劣化処理のいずれかを伴うものであるか否か及び復号された（ステップＳ６）記録情報内に上記第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２のいずれかが含まれているか否かが確認される（ステップＳ１５）。
そして、いずれかの画質劣化処理を伴うと共に変換後複写制御情報が含まれているときは（ステップＳ１５；ＹＥＳ）、当該伴われる画質劣化処理の内容（すなわち、上記第一の段階の画質劣化処理であるか或いは第二の段階の画質劣化処理であるかのいずれか）及びリージョン情報により示されている地域に対応する変換後複写制御情報を上記アナログ出力信号Ｓａｏとして出力される記録情報に含まれるべき複写制御情報としてウオーターマーク挿入部１６ａ及び付加回路１７ａにおいて設定し（ステップＳ１６）、次に、復号した（ステップＳ６）記録情報を当該複写制御情報と共にアナログ出力信号Ｓａｏとして出力する再生処理を実行する（ステップＳ１７）。
なお、ステップＳ１５の判定において、図６に示す情報再生処理がいずれの画質劣化処理を含まない場合又は復号された（ステップＳ６）記録情報内にいずれの変換後複写制御情報も含まれていないときは（ステップＳ１５；ＮＯ）そのまま上記ステップＳ１７の再生処理（複写制御情報を含ませない再生処理）に移行する。
次に、再生処理の実行中においては、必要な記録情報の再生処理が全て完了しているか否かを常に監視し（ステップＳ１８）、完了した時は（ステップＳ１８；ＹＥＳ）そのまま再生処理を終了し、一方、完了していない時は（ステップＳ１８；ＮＯ）、再度ステップＳ１に戻って上述した一連の再生処理を継続する。
他方、ステップＳ１２の判定において、リージョン情報により示される地域に対応する複写制御情報ＩＦの内容と当該地域に対応する各地域用複写制御情報ＡＣＣＩの内容とが一致していないときは（ステップＳ１２；ＮＯ）、ＤＶＤ１に対する不法な改竄処理等が施された可能性があり、従って現在装填されているＤＶＤ１に記録されている記録情報は再生するべきものではないとして、当該ＤＶＤプレーヤＰにおける再生処理を強制終了させるべく当該ＤＶＤプレーヤＰを初期化し（ステップＳ１３）、更に当該記録情報が再生できない旨の警告を図示しないディスプレイ等において行い（ステップＳ１４）、一連の再生処理を終了する。
なお、上記した第１実施形態において再生処理時における画質劣化処理が施されないときは、ＤＶＤ１上に記録されていた第１複写制御情報ＣＣＩ１及び第２複写制御情報ＣＣＩ１がそのまま再生後の記録情報に含まれることとなる。
以上説明したように、第１実施形態のＤＶＤ１の記録態様及びＤＶＤプレーヤＰの動作によれば、ＤＶＤ１上の記録情報に第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２並びに第１複写制御情報ＣＣＩ１及び第２複写制御情報ＣＣＩ２が含まれていると共に、当該記録情報の再生時においてその画質等を劣化させるとき、当該画質等の劣化に対応する変換後複写制御情報を当該再生後の記録情報に重畳して出力し、一方で、当該記録情報の再生時においてその画質等が維持されているとき、当該再生後の記録情報に第１複写制御情報ＣＣＩ１及び第２複写制御情報ＣＣＩ２を重畳して出力するので、再生時における画質等の変化に応じてその後の複写制限の内容を変更することができ、当該記録情報に係る著作権を有効に保護することができる。
また、記録情報の画質等を劣化させて再生処理が実行されたとき、複写制限条件がより緩やかとなった変換後複写制御情報が重畳されるので、再生処理時にその画質等を劣化させた記録情報については緩やかな複写制限条件により複写処理の実行を制限し、一方で、再生処理時にその画質等を劣化させなかった記録情報については元の第１複写制御情報ＣＣＩ１及び第２複写制御情報ＣＣＩ２により複写処理の実行を制限することができるので、記録情報の質に応じて複写制限条件に緩急をつけることで、当該記録情報の作成者とその利用者との間の利害関係を調整しつつ幅広く記録情報の拡布を図ることができると共により広範囲且つ適切に記録情報の複写制限を行って当該記録情報に係る著作権を有効に保護することができる。
（ＩＩ）第２実施形態
次に、本願に係る他の実施形態である第２実施形態について、図７乃至図１４を用いて説明する。
なお、以下に説明する第２実施形態は、衛星放送電波を介して画像情報を少なくとも含む記録情報の伝達を行う情報伝達システムにおいて、その伝達先で当該記録情報に対する再生制限又は記録制限を行う場合について本願を適用した場合の実施の形態である。
また、図７は第２実施形態に係る情報伝達システムの概要構成を示すブロック図であり、図８は当該情報伝達システムに含まれる映像送出装置の概要構成を示すブロック図であり、図９は当該情報伝送システムにおいて伝送される記録情報の態様を示す図であり、図１０は当該伝送される記録情報の具体的内容を示す図であり、図１１は当該情報伝達システムに含まれるセットトップボックスの概要構成を示すブロック図であり、図１２は当該セットトップボックスにおいて実行される受信動作を示すフローチャートであり、図１３は当該情報伝達システムに含まれるレコーダの概要構成を示すブロック図であり、図１４は当該レコーダにおいて実行される記録動作を示すフローチャートである。
先ず、第２実施形態に係る情報伝達システムの全体構成について説明すると、図７に示すように、当該情報伝達システムＳＳは、映像送出装置Ｍと、送信機ＴＸと、アンテナＡＴＴ及びＡＴＲと、宇宙空間に打ち上げられている静止衛星である通信衛星ＳＲと、セットトップボックスＳＴＢと、テレビジョン装置ＴＶと、レコーダＲＣと、第１実施形態において説明したものと同様の構成を有して同様の動作を行うＤＶＤプレーヤＰと、により構成されている。
次に、概要動作を説明する。
先ず、映像送出装置Ｍは、情報伝達システムＳＳを用いて伝達すべき記録情報を後述する態様の情報テーブルを含ませるようにして生成し、対応する記録情報信号Ｓｒとして送信機ＴＸに出力する。
これにより、送信機ＴＸは、当該記録情報信号Ｓｒに対して予め設定されている変調処理等を施し、衛星通信用の出力信号Ｓｔｔとして送信用のアンテナＡＴＴに出力する。
そして、アンテナＡＴＴは、当該出力信号Ｓｒを衛星送信用の電波に変換し、通信衛星ＳＲに向けて送信する。なお、このとき、当該出力信号Ｓｒに対しては、予め設定された暗号化方式により暗号化処理が施された後に電波として通信衛星ＳＲに向けて送信される。
次に、通信衛星ＳＲは、当該出力信号に対応する電波を受信し、それを中継して受信用のアンテナＡＴＲに向けて送信する。
これにより、アンテナＡＴＲは、中継された当該電波を受信し、対応する受信信号Ｓｒｒを生成してセットトップボックスＳＴＢに出力する。
そして、セットトップボックスＳＴＢは、当該受信信号Ｓｒｒを復調すると共に送信時に施された暗号化を解読し、送信されてきた記録情報に含まれている画像情報に対応する画像信号Ｓｖｄ及び当該記録情報に含まれている音声情報に対応する音声信号Ｓａｄを生成してテレビジョン装置ＴＶに出力すると共に、当該受信した受信信号Ｓｒｒを復調し、送信時に施された暗号化処理とは異なる暗号化方式により再度暗号化し、ディジタル信号であるディジタル出力信号Ｓｄを生成してレコーダＲＣへ出力する。
これらにより、テレビジョン装置ＴＶは、上記画像信号Ｓｖｄとして入力されている画像を図示しないディスプレイ上に表示すると共に上記音声信号Ｓａｄとして入力されている音声を図示しないスピーカから出力する。
一方、上記ディジタル出力信号Ｓｄが入力されているレコーダＲＣは、当該ディジタル出力信号Ｓｄに含まれている画像及び音声を、それに含まれている後述する情報テーブル（記録制限用の情報テーブル）に含まれている記録制限情報に基づいて記録可能なＤＶＤであるＤＶＤ１００に記録する。
そして、当該ＤＶＤ１００に記録された記録情報は、当該記録情報と共にレコーダＲＣにより記録されている後述する情報テーブル（再生制限用の情報テーブル）に含まれている再生制限情報に基づいてＤＶＤプレーヤＰにより再生される。
なお、上述した動作において、第２実施形態に係る上記第一の段階の画質劣化処理又は第二の段階の画質劣化処理のいずれかは、上記セットトップボックスＳＴＢ又はレコーダＲＣのいずれか一方でおいてのみ実行されるのであり、第２実施形態のＤＶＤプレーヤＰにおいては当該画質劣化処理は実行されないものとする。
次に、上記映像送出装置Ｍの細部構成及び動作について、図８を用いて説明する。
図８に示すように、情報伝達システムＳＳに含まれる映像送出装置Ｍは、制御部６０と、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）からなるメモリ６１と、表示部６２と、操作部６３と、ＶＴＲ（Ｖｉｄｅｏ  Ｔａｐｅ  Ｒｅｃｏｒｄｅｒ）６４と、ＭＰＥＧエンコーダ６５と、映像信号出力部６６と、により構成されている。
次に、動作を説明する。
先ず、第２実施形態の情報伝達システムＳＳにおいて伝達されるべき記録情報はＶＴＲ６４内に予め記録されている。
これに対し、制御部６０は、操作部６３において行われた操作に対応する操作信号Ｓｉｎに基づき、メモリ６１との間で必要な情報の授受をメモリ信号Ｓｍとして行いつつ、ＶＴＲ６４に記録されている記録情報の中から情報伝達システムＳＳ内で伝達させるべき記録情報を記録情報Ｓｖｒとして抽出する。そして、当該抽出した記録情報Ｓｖｒに重畳して伝達させるべき後述する情報テーブルを別途生成し、当該生成した情報テーブルをＶＴＲ６４内から抽出した記録情報Ｓｖｒ内にウオーターマークとして埋め込み、当該情報テーブルが埋め込まれた記録情報Ｓｃｖを再びＶＴＲ６４に記憶させる。その後、予め設定されたタイミングで当該情報テーブルが埋め込まれた記録情報ＳｃｖをＭＰＥＧエンコーダ６５に出力するように当該ＶＴＲ６４を制御する。
次に、ＭＰＥＧデコーダ６５は、当該記録情報Ｓｃｖに対してＭＰＥＧ方式に則った圧縮・変調処理を施し、変調情報Ｓｅとして映像信号出力部６６へ出力する。
そして、映像信号出力部６６は、当該変調信号Ｓｅに対してフォーマット変換処理及び暗号化処理等の予め設定された出力処理を施し、上記記録情報信号Ｓｒとして送信機ＴＸへ出力する。
次に、上記記録情報信号Ｓｒとして映像送出装置Ｍから出力される記録情報の態様について、図９乃至図１２を用いて説明する。
先ず、記録情報信号Ｓｒとして映像送出装置Ｍから出力される記録情報として具体的には、図９に示すように、第１実施形態の場合と同様に複数のセクタ情報ＳＴからなるビデオ情報ＶＤと、当該ビデオ情報ＶＤに対応する音声情報であるオーディオ情報ＡＤと、が少なくとも含まれて構成されている。
そして、このとき、一のセクタ情報ＳＴは、第１実施形態の場合と同様に、識別情報ＩＤと、訂正情報ＦＴと、複写制御情報ＩＦと、画像情報ＤＡと、により構成されている。
更に、各セクタ情報ＳＴ内の画像情報ＤＡ内には、通信衛星ＳＲを介して配信される記録情報に対応するリージョン情報（以下、ストリームリージョン情報と称する）等が記述されている情報テーブルＴＢａが夫々に含まれている。
次に、上記各セクタ情報ＳＴに画像情報ＤＡとして含まれている各静止画像について詳説すると、図９下に示すように、当該静止画像としての一のフレームＦには、第１実施形態の場合と同様に、上記情報テーブルＴＢａとして記述されているストリームリージョン情報等がウオーターマークＷＭとして一ビットずつ八箇所に埋め込まれている。そして、画像情報ＤＡを含む記録情報がセットトップボックスＳＴＢにおいて受信された場合等においては、当該ウオーターマークＷＭとして埋め込まれている情報テーブルＴＢの内容を検出・解読することにより、当該情報テーブルＴＢａ内のストリームリージョン情報に則った再生制限及び記録制御が実行される。
次に、各セクタ情報ＳＴ内に含まれている配信用の記録情報としての情報テーブルＴＢａの内容について、図１０を用いて詳説する。
先ず、当該配信用の記録情報としての情報テーブルＴＢａとしては、図１０に示す第１情報テーブルＴＢ１ａ（合計５６バイト）又は第１情報テーブルＴＢ１ｂ（合計５６バイト）のいずれか一方と、第１実施形態の場合と同様の内容（図２（ｃ）参照）を有する第２情報テーブルＴＢ２（合計５６バイト）と、が含まれている。
このとき、映像送出装置Ｍから出力される配信用の記録情報が、その配信先において複写不可とされているものである場合には、当該配信用の記録情報には図１０（ａ）に示す第１情報テーブルＴＢ１ａ及び上記第２情報テーブルＴＢ２が重畳されており、一方、当該配信用の記録情報が、その配信先において複写自由とされているものである場合又は一回のみの複写が可能とされているものである場合には、当該配信用の記録情報には図１０（ｂ）に示す第１情報テーブルＴＢ１ｂ及び上記第２情報テーブルＴＢ２が重畳されている。
そして、第１情報テーブルＴＢ１ａには、図１０（ａ）に示すように、第１バイト目から、第１実施形態における第１情報テーブルＴＢ１と同様の内容を有するヘッダ情報ＨＤ（１バイト）、第１複写制御情報ＣＣＩ１（１バイト）、第２複写制御情報ＣＣＩ２（１バイト）、第１変換後第１複写制御情報ＸＣＩ１（１バイト）、第１変換後第２複写制御情報ＸＣＩ２（１バイト）、第２変換後第１複写制御情報ＸＸＩ１（１バイト）及び第２変換後第２複写制御情報ＸＸＩ２（１バイト）に加えて、配信用の記録情報が配信された後に再生することが許可されている国又は地域を示すストリームリージョン情報としての再生可能地域情報ＰＡ（１バイト）が記述されている。そして更に、第１情報テーブルＴＢ１ａは、配信後の記録情報を上記ＤＶＤ１００等の記録媒体に記録することが許可されている国又は地域を示すストリームリージョン情報としての記録可能地域情報ＲＡＡ（１バイト）と、配信された記録情報を一時的に記録し時間差をおいてタイムシフト再生処理することが許可されている国又は地域を示すストリームリージョン情報としてのタイムシフト許可地域情報ＴＡ（１バイト）と、配信された記録情報をその配信先において再生して視聴することが許可されている各地域毎の期間を示す視聴可能期間情報ＰＴ（１６バイト）と、配信された記録情報をその配信先においてＤＶＤ１００等の記録媒体に記録することが許可されている各地域毎の期間を示す記録可能期間情報ＲＴ（１６バイト）と、配信された記録情報をその配信先においてタイムシフト再生処理することが許可されている各地域毎の期間を示すタイムシフト許可期間情報ＴＴ（１バイト）と、画像情報ＤＡの再生時において第１情報テーブルＴＢ１ａを検出する際の誤り訂正に用いられるエラー訂正情報ＥＣＣ（１３バイト）と、が含まれている。
一方、第１情報テーブルＴＢ１ｂには、図１０（ｂ）に示すように、図１０（ａ）に示した第１情報テーブルＴＢ１ａにおけるタイムシフト許可地域情報ＴＡに代えて、配信された記録情報がＤＶＤ１００等の記録媒体にレコーダＲＣにより実際に記録されたその国又は地域を示すストリームリージョン情報としての記録地域情報ＲＡ（１バイト）が記述されており、当該記録地域情報ＲＡ以外の第１情報テーブルＴＢ１ｂ内の情報は上記第１情報テーブルＴＢ１ａと全く同様である。
次に、上記した第１情報テーブルＴＢ１ａ及びＴＢ１ｂの詳細について説明する。
先ず、当該第１情報テーブルＴＢ１ａ及びＴＢ１ｂに含まれている各地域用の記録可能地域情報ＲＡＡの値として具体的には、上記各地域の夫々について、配信された記録情報がその地域においてＤＶＤ１００等の記録媒体に記録されることが許可されているときには当該地域に対応する記録可能地域情報は「１ｂ」なる値を有し、それがその地域において記録可能とされていないときは当該地域に対応する再生可能情報は「０ｂ」なる値を有する。
次に、当該第１情報テーブルＴＢ１ａに含まれている各地域用のタイムシフト許可地域情報ＴＡの値として具体的には、上記各地域の夫々について、配信された記録情報がその地域においてタイムシフト再生処理されることが許可されているときには当該地域に対応するタイムシフト許可地域情報は「１ｂ」なる値を有し、それがその地域においてタイムシフト再生処理されることが許可されていないときは当該地域に対応するタイムシフト許可地域情報は「０ｂ」なる値を有する。
次に、上記各地域用の視聴可能期間情報ＰＴ及び記録可能期間情報ＲＴの細部構成について、上記第１地域用の視聴可能期間情報ＰＴを例として説明する。
当該第１地域用の視聴可能期間情報ＰＴとしては、配信された記録情報を第一地域内において再生して視聴することが許可されている期間が２バイトの情報量をもって記述されているのであるが、より具体的には、その先頭から、５ビットの情報量をもって２０３２年までの年号（すなわち、２０００年＋２５年分）を第一地域における当該視聴可能期間の開始年として記述し、次に続く４ビットの情報量をもって当該視聴可能期間の開始月を記述し、更に続く５ビットの情報量をもって当該視聴可能期間自体の長さを記述し、残りの１ビットの情報量をもって視聴可能期間に制限があるか否かを記述している。
そして、この記述形式は、他の各地域用視聴可能期間情報ＰＴ及び各地域用の記録可能期間情報ＲＴにおいて同様とされている。
最後に、第１情報テーブルＴＢ１ａ及びＴＢ１ｂに含まれているタイムシフト許可期間情報ＴＴには、配信されてくる記録情報をタイムシフト再生処理に供させることが許可されている期間、すなわち、セットトップボックスＳＴＢにより受信した記録情報がタイムシフト再生処理可能な状態とされている期間が、１６８時間（１週間）を上限値として記述されている。
次に、上述した構成を有する第１情報テーブルＴＢ１ａ又はＴＢ１ｂ及び第２情報テーブルＴＢ２を含む情報テーブルＴＢａが重畳されて通信衛星ＳＲを介して送信されてくる記録情報を受信する上記セットトップボックスＳＴＢの細部構成及び動作について、図１１及び図１２を用いて説明する。
なお、図１１は当該セットトップボックスＳＴＢの概要構成を示すブロック図であり、図１２は当該セットトップボックスＳＴＢにおける復調処理を示すフローチャートである。
図１１に示すように、通信衛星ＳＲを介してアンテナＡＴＲにより受信され、上記受信信号Ｓｒｒとして入力される記録情報を復調するセットトップボックスＳＴＢは、上述した如くレコーダＲＣへのディジタル出力信号Ｓｄの出力及びテレビジョン装置ＴＶへの画像信号Ｓｖｄ及び音声信号Ｓａｄの出力が可能とされており、具体的には、フロントエンド部２０と、デスクランブラ２１と、デマルチプレクサ２２と、音声デコーダ２３と、画像デコーダ２４と、ＣＰＵ２５と、メモリ２６と、抽出変換部２７と、ウオーターマーク挿入部２７ａと、ウオーターマーク検出部２８と、暗号化部２９と、インターフェース部３０と、により構成され、当該各構成部材はバス３１を介して相互に制御情報等の授受が可能とされている。なお、ＣＰＵ２５内にはセットトップボックスＳＴＢが設置されて動作すべき国又は領域を示すリージョン情報が記憶されている。
次に、動作について説明する。
先ず、上記受信信号Ｓｒｒを画像信号Ｓｖｄ及び音声信号Ｓａｄとしてテレビジョン装置ＴＶに出力する場合のセットトップボックスＳＴＢの動作について説明する。
この場合に、当該受信信号Ｓｒｒにおいては、上述したように音声情報及び画像情報が夫々ＭＰＥＧ方式により圧縮されると共に暗号化された状態で入力される。
そして、フロントエンド部２０は、当該受信信号Ｓｒｒに対して予め設定された受信処理を施し、処理受信信号Ｓｆｅを生成してデスクランブラ２１に出力する。
次に、デスクランブラ２１は、当該処理受信信号Ｓｆｅに含まれている記録情報における暗号化を解読し、解読信号Ｓｄｓを生成してデマルチプレクサ２２へ出力する。
これにより、デマルチプレクサ２２は、解読信号Ｓｄｓ内に含まれている音声情報と画像情報とを分離し、当該分離した音声情報を分離音声信号Ｓａｓとして音声デコーダ２３へ出力すると共に、更に当該分離した画像情報を分離画像信号Ｓｖｓとして画像デコーダ２４へ出力する。
そして、音声デコーダ２３は、当該音声信号Ｓａｓを復号し、音声信号Ｓａｄとしてテレビジョン装置ＴＶへ出力する。
他方、画像デコーダ２４は、当該画像信号Ｓｖｓを復号し、画像信号Ｓｖｄとして同じくテレビジョン装置ＴＶへ出力する。
このとき、ＣＰＵ２５は、バス３１を介して必要な制御情報の授受を行いつつ上記各構成部材を統括制御する。また、当該統括制御に必要な情報はバス３１を介して一時的にメモリ２６に記憶されつつ当該統括制御に用いられる。
次に、上記受信信号Ｓｒｒとして取得した記録情報を、上記ディジタル出力信号ＳｄとしてレコーダＲＣに出力する場合のセットトップボックスＳＴＢの動作について説明する。
当該ディジタル出力信号ＳｄをレコーダＲＣに出力する場合には、先ず、セットトップボックスＳＴＢに受信信号Ｓｒｒが入力されると、上記したフロントエンド部２０及びデスクランブラ２１の動作により、上記解読信号Ｓｄｓが生成され、抽出部２７及びウオーターマーク検出部２８に出力される。
これにより、抽出変換部２７は、当該解読信号ＳｄｓからレコーダＲＣにおいてＤＶＤ１００に記録すべき記録情報のみを抽出し、抽出信号Ｓｄｖを生成してウオーターマーク挿入部２７ａに出力する。このとき、当該抽出変換部２７においては、セットトップボックスＳＴＢにおける復調処理が上記した第一の段階の画像劣化処理又は第二の段階の画像劣化処理のいずれか一方を伴うべき再生処理であると予め設定されているときは、上記した抽出処理と並行して必要な画質劣化処理を行い、上記抽出信号Ｓｄｖを生成する。
そして、ウオーターマーク挿入部２７ａは、当該抽出信号Ｓｄｖに対して、レコーダＲＣに出力された後の画像情報に対して挿入すべきウオーターマークを挿入し、挿入抽出信号Ｓｉｄｖを生成して暗号化部２９へ出力する。
これと平行して、ウオーターマーク検出部２８は、当該解読信号Ｓｄｓに含まれている記録情報に重畳されている上記情報テーブルＴＢａを抽出し、その内容をバス３１を介してＣＰＵ２５に出力する。
次に、後述する図１２において説明するように、当該情報テーブルＴＢａの内容に基づいて記録情報を復調する場合には、当該復調後の記録情報は当該情報テーブルＴＢａと共に一時的にメモリ２６に含まれている外部記憶装置（具体的には、例えばハードディスク装置等）に記録される。そして、必要に応じて当該外部記憶装置から読み出され、レコーダＲＣに出力すべく暗号化部２９に出力する。
これにより、暗号化部２９は、レコーダＲＣとの相互認証によりインターフェース部３０において設定される暗号化キーを用いた暗号化処理により抽出信号Ｓｄｖを暗号化し、暗号化信号Ｓｘを生成してインターフェース部３０へ出力する。
そして、インターフェース部３０は、当該暗号化信号Ｓｘに対して予め設定されたインターフェース処理を施し、ディジタル出力信号ＳｄとしてレコーダＲＣに向けて出力する。この場合、受信信号Ｓｒｒに含まれている記録情報中の情報テーブルＴＢａもそのまま対応する記録情報に重畳されてレコーダＲＣに向けて出力されることとなる。
このとき、ＣＰＵ２５は、ウオーターマーク検出部２８において検出されている情報テーブルＴＢａの内容に基づき、バス３１を介して必要な制御情報の授受を行いつつ上記各構成部材を統括制御する。また、当該統括制御に必要な情報はバス３１を介して一時的にメモリ２６に記憶されつつ当該統括制御に用いられる。
次に、上述した構成を有するセットトップボックスＳＴＢにおいて実行される復調処理について、図１２に示すフローチャートを用いて纏めて説明する。なお、以下の説明では、受信信号Ｓｒｒとして取得した記録情報をディジタル出力信号ＳｄとしてレコーダＲＣに出力する場合の復調処理について説明する。
図１２に示すように、第２実施形態に係る復調処理においては、初めに、受信信号Ｓｒｒとして入力されてくる記録情報から上記セクタ情報ＳＴ中の識別情報ＩＤを検出する（ステップＳ２０）。
次に、当該識別情報ＩＤに引き続いて再生されるセクタ情報ＳＴ内の情報を読み取り、それが暗号化されているか否かを確認する（ステップＳ２１）。そして、暗号化されていないときは（ステップＳ２１；ＮＯ）そのまま後述するステップＳ２３へ移行し、一方、暗号化されているときは（ステップＳ２１；ＹＥＳ）、上記デスクランブル回路２１においてその暗号化を解読し（ステップＳ２２）、当該解読処理を行いつつ受信された記録情報を読み取る（ステップＳ２３）。
次に、当該記録情報の読み取り中においては常に必要な情報の読み取りが完了したか否かを監視し（ステップＳ２４）、完了していないときは（ステップＳ２４；ＮＯ）引き続き次のセクタ情報ＳＴ内の記録情報を再生すべくステップＳ２０に戻り、一方、必要な記録情報の読み取りが完了しているときは（ステップＳ２４；ＹＥＳ）、当該読み取った記録情報（解読信号Ｓｄｓ）を抽出部２７において復号する（ステップＳ２５）と共に、ウオーターマーク検出部２８において当該解読信号Ｓｄｓに含まれている上記セクタ情報ＳＴに対応する情報からウオーターマークＷＭを検出する（ステップＳ２６）。
そして、ウオーターマークＷＭが検出できたか否かを確認し（ステップＳ２７）、検出できないときは（ステップＳ２７；ＮＯ）、現在受信されている受信信号Ｓｒｒ中の記録情報に対して何ら再生制限処理を行う必要が無いとしてそのまま後述するステップＳ３７の処理へ移行し、一方、ウオーターマークＷＭが検出できたときは（ステップＳ２７；ＹＥＳ）、次に、ＣＰＵ２５内に記憶されているセットトップボックスＳＴＢに対応するリージョン情報を取得し（ステップＳ２８）、更にウオーターマーク検出部２８において、上記ステップＳ２６において検出されたウオーターマークＷＭから上記第１情報テーブルＴＢ１ａ又はＴＢ１ｂ及び第２情報テーブルＴＢ２の内容を抽出して解読し、ストリームリージョン情報としての上記再生可能地域情報ＰＡ及び記録可能地域情報ＲＡＡ等を取得する（ステップＳ２９）。
次に、当該取得した再生可能地域情報ＰＡに基づいて、上記ステップＳ２８において取得していたリージョン情報により示される地域、すなわち、セットトップボックスＳＴＢが設置されて動作すべき国又は領域において受信信号Ｓｒｒ中の記録情報が再生可能とされているか否かを確認する（ステップＳ３０）。そして、当該再生可能地域情報ＰＡによりセットトップボックスＳＴＢの設置地域が記録情報の再生可能地域とされていないときは（ステップＳ３０；ＮＯ）、当該記録情報はセットトップボックスＳＴＢによっては復調することができないことから、当該受信信号Ｓｒｒに対する復調処理を強制終了させるべく当該セットトップボックスＳＴＢを初期化し（ステップＳ３２）、更に当該復調処理が実行できない旨の警告を図示しないディスプレイ等において行い（ステップＳ３３）、一連の復調処理を終了する。
一方、ステップＳ３０の判定において、再生可能地域情報ＰＡによりセットトップボックスＳＴＢの設置地域が受信信号Ｓｒｒに含まれている記録情報の再生可能地域とされているときは（ステップＳ３０；ＹＥＳ）、次に、検出されている各セクタ情報ＳＴ内の複写制御情報ＩＦの内容と検出されている（ステップＳ２６及びＳ２７）上記第１情報テーブルＴＢ１ａ内の各地域用複写制御情報ＡＣＣＩの内容とを夫々確認し、上記リージョン情報により示される地域に対応する複写制御情報ＩＦの内容と当該地域に対応する各地域用複写制御情報ＡＣＣＩの内容とが一致しているか否か（すなわち、いずれか一方について不法な改竄処理が実行されているか否か）を確認する（ステップＳ３１）。
そして、リージョン情報により示される地域に対応する複写制御情報ＩＦの内容と当該地域に対応する各地域用複写制御情報ＡＣＣＩの内容とが一致しているときは（ステップＳ３１；ＹＥＳ）、受信信号Ｓｒｒ内の記録情報に対する不法な改竄処理等は施されていないとして、次に、上記ステップＳ２９において取得したタイムシフト許可地域情報ＴＡに基づいて、上記ステップＳ２８において取得していたリージョン情報により示される地域において受信信号Ｓｒｒ中の記録情報がタイムシフト再生処理可能とされているか否かを確認する（ステップＳ３４）。そして、当該タイムシフト許可地域情報ＴＡによりセットトップボックスＳＴＢの設置地域が記録情報のタイムシフト再生処理可能地域とされていないときは（ステップＳ３４；ＮＯ）、後述するステップＳ３７へ移行する。
一方、ステップＳ３４の判定において、セットトップボックスＳＴＢの設置地域が記録情報のタイムシフト再生処理可能地域とされているときは（ステップＳ３４；ＹＥＳ）、次に、タイムシフト再生処理が実行されることを示す情報及び上記検出されているタイムシフト許可期間情報ＴＴを設定し（ステップＳ３５）、次に、現在実行されている復調処理が上記した画質劣化処理のいずれかを伴うものであるか否か及び復号された（ステップＳ２５）記録情報内に上記第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２のいずれかが含まれているか否かが確認される（ステップＳ３６）。
そして、いずれかの画質劣化処理を伴うと共に変換後複写制御情報が含まれているときは（ステップＳ３６；：ＹＥＳ）、当該伴われる画質劣化処理の内容及びリージョン情報により示されている地域に対応する変換後複写制御情報を上記ディジタル出力信号Ｓｄとして出力される記録情報に含まれるべき複写制御情報としてウオーターマーク挿入部２７ａにおいて設定し（ステップＳ３７）、次に、上記設定したタイムシフト許可期間情報ＴＴ等と共に受信信号Ｓｒｒから復号されている記録情報を設定された（ステップＳ３７）複写制御情報と共にメモリ２６に含まれている外部記憶装置（具体的には、例えばハードディスク装置等）に記録する（ステップＳ３８）。
なお、ステップＳ３６の判定において、図１２に示す復調処理がいずれの画質劣化処理を含まない場合又は復号された（ステップＳ２５）記録情報内にいずれの変換後複写制御情報も含まれていないときは（ステップＳ３６；ＮＯ）そのまま上記ステップＳ３８の記録処理（複写制御情報を含ませない記録処理）に移行する。
そして、全ての記録情報等の記録が完了したか否かを確認すると共にセットトップボックスＳＴＢの電源をオフとするか否かを確認し（ステップＳ３９）、電源をオフとする時は（ステップＳ３９；ＹＥＳ）そのまま一連の復調処理を終了する。
一方、ステップＳ３９の判定において引き続き復調処理を実行するときは（ステップＳ３９；ＮＯ）、再び上記ステップＳ２０に戻って上記した一連の処理を繰り返す。
他方、ステップＳ３１の判定において、リージョン情報により示される地域に対応する複写制御情報ＩＦの内容と当該地域に対応する各地域用複写制御情報ＡＣＣＩの内容とが一致していないときは（ステップＳ３１；ＮＯ）、受信信号Ｓｒｒ中の記録情報に対する不法な改竄処理等が施された可能性があり、従って現在受信している記録情報は復調するべきものではないとして、セットトップボックスＳＴＢにおける復調処理を強制終了させるべく当該セットトップボックスＳＴＢを初期化し（ステップＳ３２）、更に当該記録情報が復調できない旨の警告を図示しないディスプレイ等において行い（ステップＳ３３）、一連の復調処理を終了する。
なお、上記した第２実施形態の復調処理において画質劣化処理が施されないときは、配信されてきた記録情報中の第１複写制御情報ＣＣＩ１及び第２複写制御情報ＣＣＩ１がそのまま復調後の記録情報に含まれることとなる。
最後に、上述した構成を有する第１情報テーブルＴＢ１ａ又はＴＢ１ｂ及び第２情報テーブルＴＢ２を含む情報テーブルＴＢａが重畳された状態でセットトップボックスＳＴＢから出力されてくる上記ディジタル出力信号ＳｄをＤＶＤ１００に記録する上記レコーダＲＣの細部構成及び動作について、図１３及び図１４を用いて説明する。
なお、図１３は当該レコーダＲＣの概要構成を示すブロック図であり、図１４は当該レコーダＲＣにおける記録処理を示すフローチャートである。
図１３に示すように、記録可能なＤＶＤ１００に対して記録情報を記録するレコーダＲＣは、ピックアップ４０と、スピンドルモータ４１と、サーボ制御部４２と、ＬＤ（ＬＡＳＥＲ  Ｄｉｏｄｅ）ドライバ４３と、信号処理回路４４と、スクランブル回路４５と、スイッチ４８と、ウオーターマーク挿入部４７と、ＭＰＥＧエンコーダ４９と、Ａ／Ｄ（Ａｎａｌｏｇ／Ｄｉｇｉｔａｌ）コンバータ５０と、デスクランブル変換回路５１と、通信インターフェース５２と、ウオーターマーク検出部５３と、システム制御部５４と、ＤＶＤフォーマッタ５６と、により構成されており、上記サーボ制御部４２、信号処理回路４４、スクランブル回路４５、ウオーターマーク挿入部４７、デスクランブル回路５１、通信インターフェース５２、ウオーターマーク検出部５３及びシステム制御部５４は、相互に制御情報等の授受が可能となるようにバス５５により接続されている。
次に、動作を説明する。
先ず、ＤＶＤ１００には、セットトップボックスＳＴＢからディジタル出力信号Ｓｄとして出力されてきた記録情報がＭＰＥＧ方式に準拠した圧縮方式により圧縮されて記録される。更に、当該記録情報は圧縮前に予め設定されている暗号化方式により暗号化されて記録されると共に、当該記録情報には上記情報テーブルＴＢａが上記ウオーターマークＷＭとして埋め込まれ（多重され）て記録される。
また、レコーダＲＣは、上記ディジタル出力信号ＳｄをＤＶＤ１００に記録することに加えて、外部からのアナログ情報（アナログ音声情報及びアナログ画像情報の双方を含む）をディジタル化してＤＶＤ１００に記録することが可能とされている。
ＤＶＤ１００に対して記録情報を記録する場合に、レコーダＲＣにおいては、始めに、後述するスピンドル制御信号Ｓｓｂに基づいて駆動されるスピンドルモータ４１が予め設定されている回転速度でＤＶＤ１００を回転させる。
そして、Ａ／Ｄコンバータ５０は、外部から入力される上記アナログ情報Ｓａｉをディジタル化し、ディジタル入力信号Ｓｄｉｎを生成してＭＰＥＧエンコーダ４９へ出力する。
そして、ＭＰＥＧエンコーダ４９は、当該ディジタル入力信号Ｓｄｉｎに対してＭＰＥＧ方式に準拠した圧縮処理を施し、圧縮信号Ｓｍｅを生成してスイッチ４８へ出力する。
一方、通信インターフェース５２は、バス５５を介したシステム制御部５４の制御の下、上記ディジタル出力信号Ｓｄに対して予め設定された入力インターフェース処理を施し、処理信号Ｓｉｆとしてデスクランブル回路５１へ出力する。
そして、デスクランブル変換回路５１は、バス５５を介したシステム制御部５４の制御の下、処理信号Ｓｉｆに含まれている記録情報（すなわち、セットトップボックスＳＴＢにおいて復調され送信されてきた記録情報）に施されている暗号化処理を復号化し、復号化信号Ｓｄｘを生成してスイッチ４８へ出力する。
このとき、当該デスクランブル変換部５１においては、上記した第一の段階の画像劣化処理又は第二の段階の画像劣化処理のいずれか一方が、セットトップボックスＳＴＢにおける復調処理ではなくレコーダＲＣにおける記録処理と共に行われるべきであると予め設定されているときは、上記した復号化処理と並行して必要な画質劣化処理を行い、上記復号化信号Ｓｄｘを生成する。
これにより、スイッチ４８は、システム制御部５４からの切換信号Ｓｓｗｌに基づいて、上記復号化信号Ｓｄｘ又は上記圧縮信号Ｓｍｅのうちその時に入力されているいずれか一方を選択し、スイッチ信号Ｓｐｌとしてウオーターマーク挿入部４７及びウオーターマーク検出部５３に出力する。
これにより、ウオーターマーク検出部５３は、バス５５を介したシステム制御部５４の制御の下、スイッチ信号Ｓｐｌに含まれている上記情報テーブルＴＢａを検出し、その内容をシステム制御部５３に出力する。
そして、システム制御部５４は、当該出力された情報テーブルＴＢａの内容に基づいて、現在レコーダＲＣに入力されているアナログ情報Ｓａｉ又はディジタル出力信号Ｓｄに含まれている記録情報がＤＶＤ１００への記録が禁止されているものであると判断できるときは、後述する処理によりその後におけるアナログ情報Ｓａｉ又はディジタル出力信号Ｓｄの記録処理を中断させるように各構成部材を制御する。
なお、上述したウオーターマーク検出部５３の細部の具体的な構成としては、上記ウオーターマーク検出部６と同様に、特開平１１−９８３４１号公報における段落番号［００３５］乃至［００５３］及び図３に開示された構成を有するウオーターマーク検出部が適当である。
一方、ウオーターマーク挿入部４７は、バス５５を介したシステム制御部５４の制御の下、スイッチ信号Ｓｐｌに対してＤＶＤ１００に記録後の当該記録情報に対して適用となる内容を有する上記情報テーブルＴＢａを当該スイッチ信号Ｓｐｌに対して挿入し、挿入信号Ｓｉｓを生成してＤＶＤフォーマッタ５６へ出力する。
より具体的には、例えば、入力されてきたディジタル出力信号Ｓｄに含まれている情報テーブルＴＢａ内の複写制御情報ＣＣＩのうちレコーダＲＣが設置されている国又は地域に対応する複写制御情報ＣＣＩの内容が、対応する記録情報がその地域では一回のみＤＶＤ１００に記録されることを許可する内容であるとき、ウオーターマーク挿入部４７により挿入される情報テーブルＴＢａ内の複写制御情報ＣＣＩのうちレコーダＲＣが設置されている国又は地域に対応する複写制御情報ＣＣＩとして、以降の複写記録を禁止する旨の複写禁止情報を挿入する。
そして、ＤＶＤォオーマッタ５６は、当該挿入信号ＳｉｓをＤＶＤ１００用の記録フォーマットに変換し、フォーマット信号Ｓｄｖｄを生成してスクランブル回路４５へ出力する。
これにより、スクランブル回路４５は、バス５５を介したシステム制御部５４の制御の下、フォーマット信号Ｓｄｖｄに含まれている記録情報（ＤＶＤ１００に記録された後の当該記録情報に対して適用される内容を有する情報テーブルＴＢａを含む）を予め設定されている暗号化キーを用いて暗号化し、暗号化信号Ｓｓｘを生成して信号処理回路４４へ出力する。
次に、信号処理回路４４は、バス５５を介したシステム制御部５４の制御の下、暗号化信号Ｓｓｘに対して波形整形等の記録用の処理を施し、処理信号Ｓｅｃを生成してＬＤドライバ４３へ出力する。
そして、ＬＤドライバ４３は、当該処理信号Ｓｅｃに対して増幅等の処理を施し、ピックアップ４０内の図示しない半導体レーザ（記録用の光ビームＢをＤＶＤ１００に対して射出するための半導体レーザ）を駆動するための駆動信号Ｓｌｄを生成して当該ピックアップ４０へ出力する。
これにより、ピックアップ４０は、回転するＤＶＤ１００に対して上記記録用の光ビームＢ（当該光ビームＢにおいてはその強度が記録すべき記録情報の内容に対応して変化する。）を照射し、当該ＤＶＤ１００上の対応する位置に情報テーブルＴＢａを含む記録情報を記録する。
このとき、光ビームＢの集光位置とＤＶＤ１００上の記録情報が記録されるべき情報トラックの位置とのずれは、バス５５を介したシステム制御部５４の制御に基づいてサーボ制御部４２から出力されるピックアップサーボ信号Ｓｓｐにより、当該光ビームＢを当該情報トラック上に集光させるための図示しない対物レンズの位置を変化させるための図示しないアクチュエータを駆動することにより解消される。
これらの各構成部材の動作に並行して、システム制御部５４は、上記した不正再生および不正記録の防止処理を実行すると共に、当該各構成部材の動作をバス５４を介して統括制御する。
次に、上述した構成を有するレコーダＲＣにおいて実行される記録処理について、図１４に示すフローチャートを用いて纏めて説明する。なお、以下の説明では、スイッチ４８がデスクランブル回路５１側に接続されており、セットトップボックスＳＴＢからディジタル出力信号Ｓｄとして出力されてきた記録情報をＤＶＤ１００に記録する場合の記録処理について説明する。
図１４に示すように、第２実施形態に係る記録処理においては、初めに、ディジタル出力信号Ｓｄとして入力されてくる記録情報から上記セクタ情報ＳＴ中の識別情報ＩＤを検出する（ステップＳ４０）。
次に、当該識別情報ＩＤに引き続いて再生されるセクタ情報ＳＴ内の情報を読み取り、それが暗号化されているか否かを確認する（ステップＳ４１）。そして、暗号化されていないときは（ステップＳ４１；ＮＯ）そのまま後述するステップＳ４３へ移行し、一方、暗号化されているときは（ステップＳ４１；ＹＥＳ）、上記デスクランブル回路５１においてその暗号化を解読し（ステップＳ４２）、当該解読処理を行いつつ入力されたディジタル出力信号Ｓｄ内の記録情報を読み取る（ステップＳ４３）。
次に、当該記録情報の読み取り中においては常に必要な情報の読み取りが完了したか否かを監視し（ステップＳ４４）、完了していないときは（ステップＳ４４；ＮＯ）引き続き次のセクタ情報ＳＴ内の記録情報を再生すべくステップＳ４０に戻り、一方、必要な記録情報の読み取りが完了しているときは（ステップＳ４４；ＹＥＳ）、当該読み取った記録情報をデスクランブル回路５１等において復号する（ステップＳ４５）と共に、ウオーターマーク検出部５３において上記復号化信号Ｓｄｘに含まれている上記セクタ情報ＳＴに対応する情報からウオーターマークＷＭを検出する（ステップＳ４６）。
そして、ウオーターマークＷＭが検出できたか否かを確認し（ステップＳ４７）、検出できないときは（ステップＳ４７；ＮＯ）、現在入力されているディジタル出力信号Ｓｄ中の記録情報をそのまま記録するとして後述するステップＳ５７の処理へ移行し、一方、ウオーターマークＷＭが検出できたときは（ステップＳ４７；ＹＥＳ）、次に、システム制御部５４内に記憶されているレコーダＲＣに対応するリージョン情報を取得し（ステップＳ４８）、更にウオーターマーク検出部５３において、上記ステップＳ４６において検出されたウオーターマークＷＭから上記第１情報テーブルＴＢ１ａ又はＴＢ１ｂ及び第２情報テーブルＴＢ２の内容を抽出して解読し、ストリームリージョン情報としての上記再生可能地域情報ＰＡ及び記録可能地域情報ＲＡＡ等を取得する（ステップＳ４９）。
次に、当該取得した記録可能地域情報ＲＡＡに基づいて、上記ステップＳ４８において取得していたリージョン情報により示される地域、すなわち、レコーダＲＣが設置されて動作すべき国又は領域においてディジタル出力信号Ｓｄ中の記録情報が記録可能とされているか否かを確認する（ステップＳ５０）。そして、当該記録可能地域情報ＲＡＡによりレコーダＲＣの設置地域が記録情報の記録可能地域とされていないときは（ステップＳ５０；ＮＯ）、当該記録情報はレコーダＲＣによりＤＶＤ１００には記録することができないことから、当該記録処理を強制終了させるべく当該レコーダＲＣを初期化し（ステップＳ５２）、更に当該記録処理が実行できない旨の警告を図示しないディスプレイ等において行い（ステップＳ５３）、一連の記録処理を終了する。
一方、ステップＳ５０の判定において、記録可能地域情報ＲＡＡによりレコーダＲＣの設置地域がディジタル出力信号Ｓｄに含まれている記録情報の記録可能地域とされているときは（ステップＳ５０；ＹＥＳ）、次に、ディジタル出力信号Ｓｄから検出されている第１情報テーブルＴＢ１ａ又はＴＢ１ｂ内の複写制御情報ＣＣＩのうちレコーダＲＣが設置されている国又は地域に対応する複写制御情報ＣＣＩの内容を確認する（ステップＳ５１）。
そして、ステップＳ５１において判断された複写制御情報ＣＣＩが、以降の当該記録情報の複写記録を禁止する複写禁止情報としての内容か、又は対応する記録情報が元々複写記録が全く禁止されるべきものであることを示す複写禁止情報としての内容を有しているときは（ステップＳ５１；ＮＯ）、ディジタル出力信号Ｓｄ中の記録情報はＤＶＤ１００に記録されるべきものではないとして、レコーダＲＣにおける記録処理を強制終了させるべく当該レコーダＲＣを初期化し（ステップＳ５２）、更に当該記録情報が記録できない旨の警告を図示しないディスプレイ等において行い（ステップＳ５３）、一連の復調処理を終了する。
一方、ステップＳ５１において判断された複写制御情報ＣＣＩの内容が、対応する記録情報がその地域では一回のみＤＶＤ１００に記録されることを許可する内容か、又は当該対応する記録情報がその地域では複写制限されてないことを示す内容であるときは（ステップＳ５１；ＹＥＳ）、次に、ステップＳ５１において判断された複写制御情報ＣＣＩが、対応する記録情報がその地域では複写制限されてないことを示す内容を有しているか否かを確認する（ステップＳ５４）。
そして、ステップＳ５４の判定において、その複写制御情報ＣＣＩの内容が、対応する記録情報がその地域では複写制限されてないことを示す内容であるときは（ステップＳ５４；ＹＥＳ）、そのままＤＶＤ１００に対する記録情報の記録処理を開始すべく後述するステップＳ５７へ移行する。
一方、その複写制御情報ＣＣＩの内容が、対応する記録情報がその地域では複写制限されてないことを示す内容でないときは（ステップＳ５４；ＮＯ）、次に、ステップＳ５１において判断された複写制御情報ＣＣＩの内容が、対応する記録情報がその地域では一回のみＤＶＤ１００に複写記録されることを許可する内容であるか否かを再度確認し（ステップＳ５５）、一回のみ複写記録が許可されているものではない、すなわち、二回以上の複写記録が許可されているものであるときは（ステップＳ５５；ＮＯ）、そのままＤＶＤ１００に対する記録情報の記録処理を開始すべく後述するステップＳ５７へ移行する。
更に、ステップＳ５１において判断された複写制御情報ＣＣＩの内容が、対応する記録情報がその地域では一回のみＤＶＤ１００に複写記録されることを許可する内容であるときは（ステップＳ５５；ＹＥＳ）、次に、情報テーブルＴＢａ内の情報の書き換えを行って（ステップＳ５６）後述するステップＳ５７へ移行する。
ここで、上記ステップＳ５６における処理について詳説すると、当該ステップＳ５６の処理としては、第一に、上記ステップＳ５４の判定において記録が許可されていると言うことは、対応する記録情報に重畳されている情報テーブルＴＢａとしては上述した第１情報テーブルＴＢ１ｂ及び第２情報テーブルＴＢ２が重畳されていることとなるので、この場合には、当該第１情報テーブルＴＢ１ｂ内の記録地域情報ＲＡのうち、レコーダＲＣが設置されている国又は地域に対応する記録地域情報ＲＡを「１ｂ」に設定する。
次に、第二に、記録許可（ステップＳ５１；ＹＥＳ）とされていた記録情報が、レコーダＲＣが設置されている国又は地域において一回のみ複写記録することが許可されているものである場合のみ、対応する第１情報テーブルＴＢ１ｂ内の複写制御情報ＣＣＩのうちレコーダＲＣが設置されている国又は地域に対応する複写制御情報ＣＣＩの内容を「一回のみ複写記録可能」から「以降の複写記録禁止」に書き換える。
更に、第三として、レコーダＲＣによってＤＶＤ１００に記録された後の当該記録情報の再生が可能とされる国又は地域を指定するべく、第２情報テーブルＴＢ２に含まれている記録後再生可能地域情報ＲＰ（図２（ｃ）参照）に含まれている各地域用記録再生可能地域情報ＲＰ１乃至ＲＰ８に対応する値を用いて、第１情報テーブルＴＢ１ｂに含まれている再生可能地域情報ＰＡに含まれている対応する各地域用再生可能地域情報ＰＡ１乃至ＰＡ８の値を書き換える。
情報テーブルＴＢａの内容の書き換えが完了した時は、次に、当該書き換え後の情報テーブルＴＢａに含まれている複写制御情報ＣＣＩの内容を用いて記録後のセクタ情報ＳＴ内の複写制御情報ＩＦを設定する（ステップＳ５７）。
次に、現在実行されている記録処理が上記した画質劣化処理のいずれかを伴うものであるか否か及び復号された（ステップＳ４５）記録情報内に上記第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２のいずれかが含まれているか否かが確認される（ステップＳ５８）。
そして、いずれかの画質劣化処理を伴うと共に変換後複写制御情報が含まれているときは（ステップＳ５８；：ＹＥＳ）、当該伴われる画質劣化処理の内容及びリージョン情報により示されている地域に対応する変換後複写制御情報を上記挿入信号Ｓｉｓとして出力される記録情報に含まれるべき複写制御情報として設定し（ステップＳ５９）、次に、これまで設定された（ステップＳ５６、Ｓ５７、Ｓ５９）各情報を含ませつつ記録情報をＤＶＤ１００に記録する（ステップＳ６０）。
なお、ステップＳ５８の判定において、図１４に示す記録処理がいずれの画質劣化処理を含まない場合又は復号された（ステップＳ４５）記録情報内にいずれの変換後複写制御情報も含まれていないときは（ステップＳ５８；ＮＯ）そのまま上記ステップＳ６０の記録処理（複写制御情報を含ませない記録処理）に移行する。
そして、全ての記録情報等のＤＶＤ１００への記録が完了したか否かを確認し（ステップＳ６１）、未完了である場合には（ステップＳ６１；ＮＯ）上記ステップＳ４０の処理に戻って次に記録すべき記録情報の記録処理を実行し、一方、全ての記録すべき記録情報の記録が完了している時は（ステップＳ６１；ＹＥＳ）そのまま一連の記録処理を終了する。
なお、上記した第２実施形態の記録処理において画質劣化処理が施されないときは、セットトップボックスＳＴＢにおいて復調された記録情報中の第１複写制御情報ＣＣＩ１及び第２複写制御情報ＣＣＩ１がそのままＤＶＤ１００に記録後の記録情報に含まれることとなる。
一方、第２実施形態の情報伝達システムＳＳに含まれるＤＶＤプレーヤＰの動作は、レコーダＲＣによってＤＶＤ１００に記録された記録情報を、それに重畳されている情報テーブルＴＢａに基づいて再生制限を施しつつ再生する点で第１実施形態におけるＤＶＤプレーヤＰの動作と全く同様である（但し、上記いずれかの画質劣化処理は実行されない）ので、細部の説明は省略する。
以上説明したように、第２実施形態の情報送出装置Ｍ、セットトップボックスＳＴＢ、レコーダＲＣ及びＤＶＤプレーヤＰの動作によれば、配信される記録情報に第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２並びに第１複写制御情報ＣＣＩ１及び第２複写制御情報ＣＣＩ２が含まれていると共に、当該記録情報のセットトップボックスＳＴＢにおける復調時又はレコーダＲＣにおける記録時においてその画質等を劣化させるとき、当該画質等の劣化に対応する変換後複写制御情報を当該復調又は記録後の記録情報に重畳し、一方で、当該記録情報の復調又は記録時においてその画質等が維持されているとき、当該復調時又は記録後の記録情報に第１複写制御情報ＣＣＩ１及び第２複写制御情報ＣＣＩ２を重畳して出力するので、復調時又は記録時における画質等の変化に応じてその後の複写制限の内容を変更することができ、当該記録情報に係る著作権を有効に保護することができる。
また、記録情報の画質等を劣化させて復調処理又は記録処理が実行されたとき、複写制限条件がより緩やかとなった変換後複写制御情報が重畳されるので、復調処理時又は記録処理時にその画質等を劣化させた記録情報については緩やかな複写制限条件により複写処理の実行を制限し、一方で、復調処理時又は記録処理時にその画質等を劣化させなかった記録情報については元の第１複写制御情報ＣＣＩ１及び第２複写制御情報ＣＣＩ２により複写処理の実行を制限することができるので、記録情報の質に応じて複写制限条件に緩急をつけることで、当該記録情報の作成者とその利用者との間の利害関係を調整しつつ幅広く記録情報の拡布を図ることができると共により広範囲且つ適切に記録情報の複写制限を行って当該記録情報に係る著作権を有効に保護することができる。
（ＩＩＩ）第３実施形態
次に、本願に係る他の実施形態である第３実施形態について、図１５を用いて説明する。なお、図１５は第３実施形態に係る情報テーブルの細部構成を示す図である。
上述した第１実施形態及び第２実施形態においては、情報テーブルＴＢ又はＴＢａに含まれていたのは、第１情報テーブルＴＢ１と第２情報テーブルＴＢ２（第１実施形態の場合）及び第１情報テーブルＴＢ１ａ又はＴＢ１ｂのいずれか一方と第２情報テーブルＴＢ２（第２実施形態の場合）であったが、以下に説明する第３実施形態においては、第１情報テーブルＴＢ１（ＴＢ１ａ又はＴＢ１ｂ）が、相互に改竄防止のための相関関係を有するように二つに分割されて記録情報内に重畳されている。以下、第２実施形態における第１情報テーブルＴＢ１ｂを分割した場合を例として第３実施形態について説明する。
なお、第３実施形態に係る情報伝達システムの構成及び動作は、それに用いられる情報テーブルの形態が後述するものとなる以外は、第２実施形態に係る情報伝達システムＳＳの構成及び動作と全く同様であるので、細部の説明は省略する。
第３実施形態に係る情報伝達システムにおいて用いられる情報テーブルのうちの第１情報テーブルは、図１５に示すように、副情報テーブルＴＢ１ｂａと、副情報テーブルＴＢ１ｂｂとに分割された状態で、ウオーターマークＷＭとしてセクタ情報ＳＴ内に埋め込まれている。
そして、副情報テーブルＴＢ１ｂａとしては、図１５（ａ）に示すように、その第１バイト目から、上記第１情報テーブルＴＢ１ｂに含まれていたものと同様のヘッダ情報ＨＤ（１バイト）、第１複写制御情報ＣＣＩ１（１バイト）、第２複写制御情報ＣＣＩ２（１バイト）、第１変換後第１複写制御情報ＸＣＩ１（１バイト）、第１変換後第２複写制御情報ＸＣＩ２（１バイト）、第２変換後第１複写制御情報ＸＸＩ１（１バイト）及び第２変換後第２複写制御情報ＸＸＩ２（１バイト）を含んでおり、これに加えて、後述する副情報テーブルＴＢ１ｂｂにおける第二番目のバイトに含まれているビット値（後述する第２ハッシュ値Ｈ２）を全て「０」とした場合の当該副情報テーブルＴＢ１ｂｂの内容を予め設定されたハッシュ関数を用いて変換して得られるハッシュ値である第１ハッシュ値Ｈ１（１バイト）と、記録情報の配信時又は記録時において副情報テーブルＴＢ１ｂａを検出する際の誤り訂正に用いられるエラー訂正情報ＥＣＣ（８バイト）と、が含まれている。
一方、副情報テーブルＴＢ１ｂｂとしては、図１５（ｂ）に示すように、その第１バイト目から、後続する情報が副情報テーブルＴＢ１ｂｂに含まれている情報であることを示すヘッダ情報ＨＤ（１バイト）と、後述する内容を有する第２ハッシュ値Ｈ２（１バイト）と、何ら有意な情報が記述されていない予備情報Ｒと、上記第１情報テーブルＴＢ１ｂに含まれていたものと同様の再生可能地域情報ＰＡ（１バイト）、記録可能地域情報ＲＡＡ（１バイト）、記録地域情報ＲＡ（１バイト）、視聴可能期間情報ＰＴ（１６バイト）、記録可能期間情報ＲＴ（１６バイト）、タイムシフト許可期間情報（１バイト）ＴＴ及びエラー訂正情報ＥＣＣと、が含まれている。
このとき、上記第２ハッシュ値Ｈ２としては、副情報テーブルＴＢ１ｂａそのものを上記ハッシュ関数を用いて変換して得られるハッシュ値が記述されている。なお、上述した第１副情報テーブルＴＢ１ｂａに含まれる第１ハッシュ値Ｈ１の値全てが「０」となると各ハッシュ値を用いた正確な改竄防止が図れないこととなるので、予備情報Ｒの値を適切な値として、第１ハッシュ値Ｈ１の値全てが「０」となることを防止する。
そして、上述した構成を有する副情報テーブルＴＢ１ｂａ及びＴＢ１ｂｂにより第１情報テーブルが構成されている第３実施形態において、例えば、セットトップボックスＳＴＢにおける復調処理においては、先ず、副情報テーブルＴＢ１ｂａを検出してその内容をＣＰＵ２５において認識し、次に当該副情報テーブルＴＢ１ｂａに含まれている第１ハッシュ値Ｈ１の値が全て「０」でない場合には、当該副情報テーブルＴＢ１ｂａ以外に副情報テーブルＴＢ１ｂｂが存在していると当該セットトップボックスＳＴＢにおいて認識し、次に当該副情報テーブルＴＢ１ｂｂを検出する。このとき、当該検出した副情報テーブルＴＢ１ｂｂが不法に改竄されていた場合には、その改竄された副情報テーブルＴＢ１ｂｂの内容を上記ハッシュ関数を用いて変換して得られる第１ハッシュ値Ｈ１の内容が本来副情報テーブルＴＢ１ｂａに含まれているべき第１ハッシュ値Ｈ１（すなわち、改竄されていない副情報テーブルＴＢ１ｂｂに対応する第１ハッシュ値Ｈ１）の内容とは異なったものとなるため、当該副情報テーブルＴＢ１ｂｂを検出した段階でその内容が改竄されているか否かをＣＰＵ２５において検出することができることとなる。
一方、先に検出した副情報テーブルＴＢ１ｂａが不法に改竄されていた場合には、その改竄された副情報テーブルＴＢ１ｂａの内容を上記ハッシュ関数を用いて変換して得られる第２ハッシュ値Ｈ２の内容が本来副情報テーブルＴＢ１ｂｂに含まれているべき第２ハッシュ値Ｈ２（すなわち、改竄されていない副情報テーブルＴＢ１ｂａに対応する第２ハッシュ値Ｈ２）の内容とは異なったものとなるため、当該先に検出した副情報テーブルＴＢ１ｂａが改竄されているか否かを副情報テーブルＴＢ１ｂｂを検出した段階で認識することができることとなる。
そして、副情報テーブルＴＢ１ｂａ又はＴＢ１ｂｂのいずれかが改竄されていることが検出されたときは、その時点でセットトップボックスＳＴＢにおける記録情報に対する復調処理を強制的に終了することで、不法に改竄されている記録情報が復調されることを防止できる。
また、レコーダＲＣにおける記録処理についても、同様にして副情報テーブルＴＢ１ｂａ又はＴＢ１ｂｂのいずれかが改竄されているか否かをシステム制御部５４において検出することでＤＶＤ１００への不法な記録処理の実行を未然に防止することができる。
更に、ＤＶＤプレーヤＰにおける再生処理についても、同様にして副情報テーブルＴＢ１ｂａ又はＴＢ１ｂｂのいずれかが改竄されているか否かをシステム制御部７において検出することでＤＶＤ１００からの不法な再生処理の実行を未然に防止することができる。
以上説明したように、第３実施形態の第１情報テーブルの形態によれば、上述した第２実施形態における情報伝達システムＳＳの動作による効果に加えて、一の記録情報に対応するストリームリージョン情報と複写制御情報ＣＣＩとを、当該ストリームリージョン情報と当該複写制御情報ＣＣＩとの間に予め設定されたハッシュ値を用いた相関関係を有するように、且つ、各々別個独立に副情報テーブルＴＢ１ｂａ及びＴＢ１ｂｂとして記録情報に重畳するので、当該記録情報が配布された後に当該記録情報のみが不正に改竄（すなわち、上記相関関係が改変）されて複写等された場合にも、その不正な改竄を確実に検出し、当該複写等自体の許否、及びその複写等後の当該記録情報の記録処理又は再生処理の実行の許否を確実に地域毎に管理・制御することができ、当該記録情報に係る著作権を有効に保護することができる。
（ＩＶ）第４実施形態
次に、本願に係る他の実施形態である第４実施形態について、図１６を用いて説明する。
なお、図１６は第４実施形態に係る情報再生処理を示すフローチャートである。また、図１６に示すフローチャートにおいて、上記図６に示したフローチャートと同様の処理については、同様のステップ番号を付して細部の説明は省略する。
上述してきた第１乃至第３実施形態においては、夫々に、記録情報の再生処理、復調処理及び記録処理のいずれかにおいて上記いずれかの画質劣化処理が施されるとき、当該画質劣化処理の態様及び各地域毎に複写制限条件を緩やかにするように変換後複写制御情報を記録情報に重畳して上記記録処理等を実行することとしたが、以下に説明する第４実施形態においては、画質等を劣化させるのではなく、記録情報に含まれる画像情報の構成そのものを変更する場合について本願を適用する。
なお、以下の説明において、画像情報に対する「構成の変更」とは、具体的には、その画像情報に含まれる画像を拡大又は縮小すること及び当該画像情報に対して新たに他の画像情報、例えば使用者に提示すべき広告の内容に対応する広告情報を重畳することをいう。
また、以下の説明では、第１実施形態における情報再生処理を例として第４実施形態を説明する。
第４実施形態において記録情報に重畳される変換後複写制御情報としては、当該記録情報に含まれている画像情報が拡大又は縮小された場合に、その拡大又は縮小された画像情報を含む記録情報に適用される複写制限条件をその拡大又は縮小前の画像情報を含む記録情報に適用される複写制限条件よりも緩やかに設定する。
より具体的には、拡大又は縮小前の画像情報を含む記録情報に適用される複写制限条件が「複写禁止」であった場合には、その拡大又は縮小された画像情報を含む記録情報に適用される複写制限条件を「一回のみ複写許可」又は「自由複写許可」とするように、ＤＶＤ１に記録されている記録情報又は情報伝達システムＳＳにより配信される記録情報に予め上記変換後複写制御情報を重畳しておく。
また、当該記録情報に含まれている画像情報に対して広告情報が重畳された場合に、その広告情報が重畳された画像情報を含む記録情報の部分に適用される複写制限条件をその重畳が為されない画像情報を含む記録情報に適用される複写制限条件よりも緩やかに設定する。
より具体的には、当該重畳が為された画像情報を含む記録情報に適用される複写制限条件が「複写禁止」であった場合には、その重畳が為された画像情報を含む記録情報の部分に適用される複写制限条件を「自由複写許可」とするように、ＤＶＤ１に記録されている記録情報又は情報伝達システムＳＳにより配信される記録情報に予め上記変換後複写制御情報を重畳しておく。
このとき、具体的な重畳方法については上述した第１乃至第３実施形態と同様であるので、細部の説明は省略する。
図１６に示すように、第４実施形態の情報再生処理においては、初めに、図６に示す第１実施形態における情報再生処理のうち、ステップＳ１乃至Ｓ１６の処理を実行する。このとき、ステップＳ１６の処理において設定される変換後複写制御情報としては、上記画像情報に対する拡大又は縮小処理或いは広告情報の重畳処理が実行された場合に対応する複写制限条件を含む複写制御情報が含まれることとなる。
そして、ステップＳ１６の処理において、対応する変換後複写制御情報が重畳されると、次に、実際にその拡大又は縮小処理或いは広告情報の重畳処理を実行するか否かが確認され（ステップＳ７０）、実際に実行するときは（ステップＳ７０；ＹＥＳ）必要な拡大又は縮小処理或いは広告情報の重畳処理を実行し（ステップＳ７１）、その後上記ステップＳ１７に移行して以後上述した第１実施形態の情報再生処理と同様の処理を実行する。
一方、ステップＳ７０の判定において、実際には拡大又は縮小処理或いは広告情報の重畳処理のいずれも実行しないときは（ステップＳ７０；ＮＯ）、そのまま複写制御情報の内容を変更することなく上記ステップＳ１７の処理に移行して以後上述した第１実施形態の情報再生処理と同様の処理を実行する。
以上説明したように、第４実施形態に係る情報再生処理によれば、上記第１実施形態における情報再生処理の効果に加えて、再生処理時において画像の拡大処理又は縮小処理を行う場合に複写制限条件を変更して記録情報を再生・出力することができるので、複写制限の適用範囲をより広範囲として当該複写制限を行うことができる。
また、再生処理時において画像の拡大処理又は縮小処理を行い更に当該拡大又は縮小後の画像に対して他の画像を重畳する場合であっても複写制限条件を変更して記録情報を再生・出力することができるので、複写制限の適用範囲をより広範囲として当該複写制限を行うことができる。
更に、再生処理時において広告情報が重畳される場合に当該広告情報が重畳された記録情報の部分が複写自由とされるので、記録情報に対する複写制限と広告情報の広範囲への拡布とを両立させて記録情報を再生することができる。
（Ｖ）第５実施形態
次に、本願に係る他の実施形態である第５実施形態について、図１７乃至図１９を用いて説明する。
上述してきた第１乃至第４実施形態では、リージョン情報と複写制御情報とを組み合わせた場合について説明したが、以下に説明する第５実施形態においては、本願に係る複写制御情報のみを含む記録情報を上記ＤＶＤに記録する場合について説明する。
なお、図１７は当該ＤＶＤに記録される情報の具体的内容を示す図であり、図１８は当該ＤＶＤに記録情報を記録する第５実施形態に係る情報記録装置（ＤＶＤレコーダ）の概要構成を示すブロック図であり、図１９は当該ＤＶＤレコーダにおいて実行される記録動作を示すフローチャートである。
先ず、第５実施形態に係る再生専用のＤＶＤに記録されている情報の記録態様について、図１７を用いて説明する。
初めに、第５実施形態に係るＤＶＤにおける物理的な記録情報全体の記録態様は、図１に示す第１実施形態の場合と同様であるので、細部の説明は省略する。
次に、第５実施形態に係る記録情報における各セクタ情報ＳＴ内に含まれている第５実施形態の情報テーブルの内容について、図１７を用いて詳説する。
すなわち、図１７に示すように、当該情報テーブルＴＢｃとしては、第１バイト目から、ＤＶＤに記録すべき記録情報に含まれている画像を劣化させずにＤＶＤに記録する場合におけるその記録後の記録情報に適用される複写制御情報である第１複写制御情報ＣＣＩ（１バイト）と、ＤＶＤに記録すべき記録情報に含まれている画像に対して第一の段階の画質劣化処理を施した後にＤＶＤに記録する場合におけるその記録後の記録情報に適用される複写制御情報である第２複写制御情報ＸＣＩ（１バイト）と、ＤＶＤに記録すべき記録情報に含まれている画像に対して上記第二の段階の画質劣化処理を施した後にＤＶＤに記録する場合におけるその記録後の記録情報に適用される複写制御情報である第３複写制御情報ＸＸＩ（１バイト）と、何ら情報が有意な情報が含まれていない予備情報Ｒ（３６バイト）と、記録情報の記録時において情報テーブルＴＢｃを検出する際の誤り訂正に用いられるエラー訂正情報ＥＣＣ（１７バイト）と、が含まれている。
なお、図１７に示す各複写制御情報の具体的な値については、当該画像の画質を劣化させずにＤＶＤに記録した場合、当該画像に対して第一の段階の画質劣化処理を施してＤＶＤに記録した場合又は当該画像に対して第二の段階の画質劣化処理を施してＤＶＤに記録した場合の夫々について、その記録後の複写を一切禁止するときは、夫々第１複写制御情報ＣＣＩ、第２複写制御情報ＸＣＩ及び第３複写制御情報ＸＸＩの値は夫々「複写禁止」とされ、一方、各々の画質制御（画質を劣化させない場合を含む）において、その記録後の複写を一回のみ複写許可とするときは、夫々第１複写制御情報ＣＣＩ、第２複写制御情報ＸＣＩ及び第３複写制御情報ＸＸＩの値は夫々「一回のみ複写許可」とされ、更に、各々の画質制御（画質を劣化させない場合を含む）において、その記録後の複写を自由とするときは、夫々第１複写制御情報ＣＣＩ、第２複写制御情報ＸＣＩ及び第３複写制御情報ＸＸＩの値は夫々「自由複写許可」とされる。
次に、図１７に示した態様の情報テーブルＴＢｃが重畳されて入力されてきた記録情報をＤＶＤに記録する第５実施形態に係るレコーダの構成及び動作について、図１８及び図１９を用いて説明する。
なお、図１８において、第２実施形態に係るレコーダＲＣ（図１３参照）と同様の構成部材については、同様の部材番号を付して細部の説明は省略する。
図１８に示すように、第５実施形態に係るレコーダＲＣＣは、第２実施形態に係るレコーダＲＣにおけるものと同様の構成を有するＡ／Ｄコンバータ５０、ウオーターマーク検出部５３、変更手段及び選択手段としてのシステム制御部５４、スクランブル回路４５、信号処理回路４４、ＬＤドライバ４３、サーボ制御部４２、記録手段としてのピックアップ４０及びスピンドルモータ４１に加えて、ウオーターマーク挿入部６０と、画像エンコーダ６１と、により構成されている。
次に、動作を説明する。
ＤＶＤ１００に対して、図１７に示した態様の情報テーブルＴＢｃが重畳されて入力されてくる記録情報を記録する場合に、レコーダＲＣＣにおいては、始めに、後述するスピンドル制御信号Ｓｓｂに基づいて駆動されるスピンドルモータ４１が予め設定されている回転速度でＤＶＤ１００を回転させる。
そして、Ａ／Ｄコンバータ５０は、外部から入力される上記記録情報としてのアナログ情報Ｓａｉをディジタル化し、ディジタル入力信号Ｓｄｉｎを生成してウオーターマーク挿入部６０及びウオーターマーク検出部５３へ出力する。
これにより、ウオーターマーク検出部５３は、バス５５を介したシステム制御部５４の制御の下、ディジタル入力信号Ｓｄｉｎに含まれている上記情報テーブルＴＢｃを検出し、その内容をシステム制御部５３に出力する。
次に、ウオーターマーク挿入部６０は、バス５５を介したシステム制御部５４の制御の下、ＤＶＤ１００に記録後の記録情報に適用される内容を有する複写制御情報を、上記ウオーターマークとしてディジタル入力信号Ｓｄｉｎに挿入し、挿入信号Ｓｉｓを生成して画質エンコーダ６１へ出力する。
そして、画質エンコーダ６１は、上記ＭＰＥＧエンコーダ４９と同様にして当該挿入信号Ｓｉｓに対してＭＰＥＧ方式に準拠した圧縮処理を施すと共に、ウオーターマーク検出部５３により検出された上記情報テーブルＴＢｃの内容に応じて画質劣化処理を施し、処理信号Ｓｅｅとしてスクランブル回路４５へ出力する。
次に、スクランブル回路４５は、バス５５を介したシステム制御部５４の制御の下、処理信号Ｓｅｅに含まれている記録情報（ＤＶＤ１００に記録された後の当該記録情報に対して適用される内容を有する情報テーブルＴＢｃを含む）を予め設定されている暗号化キーを用いて暗号化し、暗号化信号Ｓｓｘを生成して信号処理回路４４へ出力する。
これ以後は、第２実施形態に係るレコーダＲＣにおける信号処理回路４４、ＬＤドライバ４３、ピックアップ４０、サーボ制御部４２と同様の動作により、当該暗号化された記録情報がＤＶＤ１００に記録される。
これらの各構成部材の動作に並行して、システム制御部５４は、当該各構成部材の動作を、バス５５を介して統括制御する。
次に、第５実施形態に係るレコーダＲＣＣにおいて実行される情報記録処理について、図１９を用いて纏めて説明する。
第５実施形態に係る情報記録処理においては、図１９に示すように、外部から情報テーブルＴＢｃを含むアナログ情報Ｓａｉが入力されてくると、初めに、当該アナログ情報Ｓａｉ自体が暗号化されているか否かが確認され（ステップＳ８０）、暗号化されていないときは（ステップＳ８０；ＮＯ）そのままステップＳ８２へ移行し、一方、暗号化されているときは（ステップＳ８０；ＹＥＳ）、図１８において図示しない暗号解読部においてその暗号化処理を解読し（ステップＳ８１）、更に暗号解読後の記録情報自体を取り込む（ステップＳ８２）。
そして、当該取込処理が全て完了したか否かが確認され（ステップＳ８３）、完了していないときは（ステップＳ８３；ＮＯ）そのまま上述した一連の取込処理を継続し、一方、取込処理が全て完了しているときは（ステップＳ８３；ＹＥＳ）、次に、その取り込んだ記録情報を図１８において図示しないデコーダにより復号し（ステップＳ８４）、ウオーターマーク検出部５３において上記情報テーブルＴＢｃの内容を解読し（ステップＳ８５）その内容をシステム制御部５４へ出力する。
次に、そのウオーターマークが正常に検出できているか否かを確認し（ステップＳ８６）、検出できていないときは（ステップＳ８６；ＮＯ）再度解読処理を試行すべく上記ステップＳ８０の処理に移行し、一方、正常に検出できているときは（ステップＳ８６；ＹＥＳ）、その検出したウオーターマークのうち情報テーブルＴＢｃ以外に暗号化して挿入されている他の複写制御情報の内容が「複写禁止」を示す内容であるか否かを確認する（ステップＳ８７）。
そして、当該他の複写制御情報の内容が「複写禁止」であるときは（ステップＳ８７；ＹＥＳ）、最早ＤＶＤ１００への記録処理ができないとしてその旨を図示しない表示部等において表示等により使用者に対して告知し（ステップＳ８８）、その後第５実施形態に係る記録処理を終了する。
他方、ステップＳ８７の判定において、他の複写制御情報の内容が「複写禁止」でないときは（ステップＳ８７；ＮＯ）、次に、上記情報テーブルＴＢｃにおける第１複写制御情報ＣＣＩの内容を確認する（ステップＳ８９）。
そして、画質の劣化なしでそのまま複写可能とされているときは（ステップＳ８９；ＣＦ）、そのままステップＳ９３の処理へ移行し、一方、画質の劣化がされない状態では「一回のみ複写許可」であるときは（ステップＳ８９；ＣＯ）、上記ウオーターマーク挿入部６０により「複写禁止」を示す新たなウオーターマークを挿入し（ステップＳ９２）、その後画質の劣化処理を行わずに上述した画像エンコーダ６１等による記録処理を行う（ステップＳ９３）。
そして、記録処理の停止を示す操作が図１８において図示しない操作部において実行されたか否かが確認され（ステップＳ９４）、実行されていないときは、引き続き記録情報のＤＶＤ１００への記録を継続すべくステップＳ８０へ戻り、一方、記録処理の停止が指示されているときは（ステップＳ９４；ＹＥＳ）そのまま第５実施形態に係る記録処理を完了する。
他方、上記ステップＳ８９の判定において、画質の劣化なしでは複写禁止とされているときは（ステップＳ８９；ＮＣ）、次に、上記情報テーブルＴＢｃにおける第２複写制御情報ＸＣＩの内容を確認する（ステップＳ９０）。
そして、第一の画質の劣化処理実行後であればそのまま複写可能とされているときは（ステップＳ９０；ＣＦ）、そのままステップＳ９６の処理へ移行し、一方、第一の画質の劣化処理実行後であれば「一回のみ複写許可」とされているときは（ステップＳ９０；ＣＯ）、上記ウオーターマーク挿入部６０により「複写禁止」を示す新たなウオーターマークを挿入し（ステップＳ９５）、その後上述した画像エンコーダ６１により第一の画質の劣化処理を施して（ステップＳ９６）上記ステップＳ９３以降の処理へ移行する。
次に、上記ステップＳ９０の判定において、第一の画質の劣化処理実行後では複写禁止とされているときは（ステップＳ９０；ＮＣ）、次に、上記情報テーブルＴＢｃにおける第３複写制御情報ＸＸＩの内容を確認する（ステップＳ９１）。
そして、第二の画質の劣化処理実行後であればそのまま複写可能とされているときは（ステップＳ９１；ＣＦ）、そのままステップＳ９８の処理へ移行し、一方、第二の画質の劣化処理実行後であれば「一回のみ複写許可」とされているときは（ステップＳ９１；ＣＯ）、上記ウオーターマーク挿入部６０により「複写禁止」を示す新たなウオーターマークを挿入し（ステップＳ９７）、その後上述した画像エンコーダ６１により第二の画質の劣化処理を施して（ステップＳ９８）上記ステップＳ９３以降の処理へ移行する。
他方、上記ステップＳ９１の判定において、第二の画質の劣化処理実行後でも複写禁止とされているときは（ステップＳ９１；ＮＣ）、いずれにしろＤＶＤ１００への記録処理ができないので、そのまま上記ステップＳ８８の警告処理を行って第５実施形態に係る記録処理を終了する。
以上説明したように、第５実施形態のレコーダＲＣＣの動作によれば、外部から入力されてきた情報テーブルＴＢｃの内容に沿って画質を制御しつつ記録情報をＤＶＤ１００に記録するので、画質の制御により記録情報に対応した著作権を保護しつついずれかの画質により記録情報のＤＶＤ１００への記録を行うことができる。
（ＶＩ）第６実施形態
次に、本願に係る他の実施形態である第６実施形態について、図２０及び図２１を用いて説明する。
なお、以下に説明する第６実施形態は、上述した第２実施形態に係る情報伝達システムＳＳ（映像送出装置Ｍ、送信機ＴＸ、アンテナＡＴＴ及びＡＴＲ、通信衛星ＳＲ、セットトップボックスＳＴＢ、テレビジョン装置ＴＶ、レコーダＲＣ及びＤＶＤプレーヤＰにより構成される情報伝達システムＳＳ）と同様の情報伝達システムに含まれるレコーダ及びＤＶＤプレーヤの機能に対して本願を適用した場合の実施形態であり、当該第６実施形態に係るレコーダ及びＤＶＤプレーヤは上記レコーダＲＣ及びＤＶＤプレーヤＰと同様の構成を備えるので、その細部の説明は省略し、以下の説明では当該レコーダ及びＤＶＤプレーヤにおける動作（処理）のみについて、図２０及び図２１に夫々示されるフローチャートを用いて説明する。このとき、図２０は第６実施形態に係るレコーダにおける記録処理を示すフローチャートであり、図１４に示した第２実施形態に係るレコーダＲＣにおける記録処理と同様の処理については同様のステップ番号を付して細部の説明は省略する。また、図２１は第６実施形態に係るＤＶＤプレーヤにおける再生処理を示すフローチャートであり、図６に示した第２（第１）実施形態に係るＤＶＤプレーヤＰにおける再生処理と同様の処理については同様のステップ番号を付して細部の説明は省略する。
上述してきた各実施形態、例えば第２実施形態においては、レコーダＲＣにおいて画質等を変更したとき、当該レコーダＲＣにおいて複写制御情報等を変更して当該画質等を変更した記録情報と共に当該複写制御情報等をＤＶＤに記録し、一方、これを再生するＤＶＤプレーヤＰにおいては、当該記録情報と共に記録されている複写制御情報等を用いて記録情報の再生態様を制御した。これに対して、以下に説明する第６実施形態においては、レコーダにおいては、記録情報における画質等を変更したときにはその画質等の変更があった旨を示す変換情報としての変更フラグを記録情報に追加し、一方、ＤＶＤプレーヤにおいてはその追加されているフラグの内容に基づいて複写制御情報を変更して記録情報と共に再生する。
次に、具体的な処理について、先ず第６実施形態に係るレコーダの記録処理につき図２０を用いて説明する。
第６実施形態に係るレコーダにおける記録処理においては、図２０に示すように、先ず第２実施形態におけるレコーダＲＣと同様のステップＳ４０乃至Ｓ５７の処理が実行される。
次に、現在実行されている記録処理が上記画質劣化処理のいずれかを伴うものであるか否か及び復号された（ステップＳ４５）記録情報内に第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２のいずれかが含まれているか否かが確認される（ステップＳ５８）。
そして、いずれかの画質劣化処理を伴うと共に変換後複写制御情報が含まれているときは（ステップＳ５８；：ＹＥＳ）、いずれかの画質劣化処理が実行されていること及びその画質劣化処理の内容（すなわち、上記第一の段階の画質劣化処理であるか或いは第二の段階の画質劣化処理であるかのいずれか）を示す変換フラグをＤＶＤに記録すべき記録情報に追加し（ステップＳ１００）、次に、これまで設定（追加）された（ステップＳ５６、Ｓ５７、Ｓ１００）各情報を含ませつつ記録情報をＤＶＤ１００に記録する（ステップＳ６０）。
なお、ステップＳ５８の判定において、図１４に示す記録処理がいずれの画質劣化処理を含まない場合又は復号された（ステップＳ４５）記録情報内にいずれの変換後複写制御情報も含まれていないときは（ステップＳ５８；ＮＯ）そのまま上記ステップＳ６０の記録処理（複写制御情報を含ませない記録処理）に移行する。
そして、全ての記録情報等のＤＶＤ１００への記録が完了したか否かを確認し（ステップＳ６１）、未完了である場合には（ステップＳ６１；ＮＯ）上記ステップＳ４０の処理に戻って次に記録すべき記録情報の記録処理を実行し、一方、全ての記録すべき記録情報の記録が完了している時は（ステップＳ６１；ＹＥＳ）そのまま一連の記録処理を終了する。
なお、上記した第２実施形態の記録処理において画質劣化処理が施されないときは、セットトップボックスＳＴＢにおいて復調された記録情報中の第１複写制御情報ＣＣＩ１及び第２複写制御情報ＣＣＩ１がそのままＤＶＤ１００に記録後の記録情報に含まれることとなる。
次に、上述したレコーダにより記録情報等が記録されているＤＶＤ１００から情報を再生する、第６実施形態に係るＤＶＤプレーヤにおける再生処理につき図２１を用いて説明する。
第６実施形態に係るＤＶＤプレーヤにおける再生処理においては、図２１に示すように、先ず第２（第１）実施形態におけるＤＶＤプレーヤＰと同様のステップＳ１乃至Ｓ１４の処理が実行される。
次に、ステップＳ１２の判定において、リージョン情報により示される地域に対応する複写制御情報ＩＦの内容と当該地域に対応する各地域用複写制御情報ＡＣＣＩの内容とが一致しているときは（ステップＳ１２；ＹＥＳ）、記録情報内に上記変換フラグがあるか否かを確認し（ステップＳ１０１）、当該変換フラグがあるときは（ステップＳ１０１；ＹＥＳ）再生した記録情報に対して画質劣化処理が施されて再生されていることになるので、その変換フラグの内容から認識される画質劣化処理の内容及びリージョン情報により示されている地域に対応する変換後複写制御情報（すなわち、第１変換後第１複写制御情報ＸＣＩ１及び第１変換後第２複写制御情報ＸＣＩ２又は第２変換後第１複写制御情報ＸＸＩ１及び第２変換後第２複写制御情報ＸＸＩ２のいずれか）を上記アナログ出力信号Ｓａｏとして出力される記録情報に含まれるべき複写制御情報としてウオーターマーク挿入部１６ａ及び付加回路１７ａにおいて設定し（ステップＳ１０２）、次に、復号した（ステップＳ６）記録情報を当該複写制御情報と共にアナログ出力信号Ｓａｏとして出力する再生処理を実行する（ステップＳ１７）。
なお、ステップＳ１０１の判定において、復号された（ステップＳ６）記録情報内にいずれの変換フラグも含まれていないときは（ステップＳ１０１；ＮＯ）そのまま上記ステップＳ１７の再生処理（変換後複写制御情報を含ませない再生処理）に移行する。
次に、第２（第１）実施形態と同様のステップＳ１８の処理を実行し、再生処理を終了する。
なお、上記した第６実施形態において再生処理時における画質劣化処理が施されないときは、ＤＶＤ１００上に記録されていた第１複写制御情報ＣＣＩ１及び第２複写制御情報ＣＣＩ１がそのまま再生後の記録情報に含まれることとなる。
以上説明したように、第６実施形態に係るレコーダ及びＤＶＤプレーヤの処理によれば、配信後の記録情報のレコーダＲＣにおける記録時においてその画質等を劣化させるとき（又は劣化させないとき）、当該画質等の劣化の有無に対応する内容を有する変換フラグを当該記録後の記録情報に重畳して出力するので、記録時における画質等の変化に応じてその後の複写制限の内容を変更することができ、当該記録情報に係る著作権を有効に保護することができる。
また、記録情報の画質等を劣化させて記録処理が実行されたとき、その内容を示す変換フラグが重畳されるので、記録情報の質に応じて複写制限条件を異ならせることで、当該記録情報の作成者とその利用者との間の利害関係を調整しつつ幅広く記録情報の拡布を図ることができると共により広範囲且つ適切に記録情報の複写制限を行って当該記録情報に係る著作権を有効に保護することができる。
なお、上述の第６実施形態においては、レコーダにおける記録時に上記変換フラグを記録情報に追加する場合について説明したが、これ以外に、セットトップボックスにおける復調時に上記画質劣化処理を行う際に同様の変換フラグを追加して復調するように構成することも可能である。
（ＶＩＩ）第７実施形態
次に、本願に係る他の実施形態である第７実施形態について、図２２を用いて説明する。なお、図２２は第７実施形態に係るＤＶＤプレーヤにおける再生処理を示すフローチャートであり、図６に示した第２（第１）実施形態に係るＤＶＤプレーヤＰにおける再生処理と同様の処理については同様のステップ番号を付して細部の説明は省略する。
上述してきた各実施形態においては、ＤＶＤに記録された又は放送された記録情報における画質が一種類のみである場合について夫々説明したが、これ以外に、ＤＶＤに記録される状態の記録情報又は放送される記録情報内に異なる画質を有する複数種類の記録情報が含まれている場合に本願を適用することも可能である。
すなわち、放送する段階又はＤＶＤに記録する段階において画質が相互に異なる複数種類の記録情報が放送される、又は記録される場合に、その放送又は記録の段階で当該複数種類の記録情報の夫々に対応する内容を有する複写制限情報を当該記録情報に設定して放送（又は記録）する。
そして、その放送電波を受信する又はＤＶＤを再生する場合に、先ず第２（第１）実施形態におけるＤＶＤプレーヤＰと同様のステップＳ１乃至Ｓ１４の処理が実行される。
次に、ステップＳ１２の判定において、リージョン情報により示される地域に対応する複写制御情報ＩＦの内容と当該地域に対応する各地域用複写制御情報ＡＣＣＩの内容とが一致しているときは（ステップＳ１２；ＹＥＳ）、放送を受信するセットトップボックス又は記録情報を再生するＤＶＤプレーヤにおいて再生すべき記録情報の画質を選択し（ステップＳ１０３）、当該選択された画質が複数種類ある画質の内の高画質の方であったときは（ステップＳ１０４；ＹＥＳ）、当該高画質の記録情報をＤＶＤから検出して再生する準備処理を実行し（ステップＳ１０５）、次に、復号した（ステップＳ６）記録情報を当該準備された再生態様で再生してアナログ出力信号Ｓａｏとして出力する再生処理を実行する（ステップＳ１７）。
一方、ステップＳ１０４の判定において、当該選択された画質が高画質の方でなかったときは（ステップＳ１０４；の）、低画質の記録情報をＤＶＤから検出して再生する準備処理を実行し（ステップＳ１０６）、次に、復号した（ステップＳ６）記録情報を当該準備された再生態様で再生してアナログ出力信号Ｓａｏとして出力する再生処理を実行する（ステップＳ１７）。
次に、第２（第１）実施形態と同様のステップＳ１８の処理を実行し、再生処理を終了する。
以上説明した第７実施形態によれば、ＤＶＤに記録される状態の記録情報又は放送される記録情報内に異なる画質を有する複数種類の記録情報が含まれている場合であっても、上記第１実施形態乃至第６実施形態の場合と同様に各記録情報における著作権を適切に保護することができる。
なお、上記図６、図１２、図１４、図１６、図１９、図２０、図２１及び図２２に示すフローチャートに対応するプログラムをフレキシブルディスク又はハードディスク等の記録媒体に記録しておき、これをマイクロコンピュータ等により読み出して実行することにより、当該マイクロコンピュータ等をＤＶＤプレーヤＰにおけるシステム制御部７、セットトップボックスＳＴＢにおけるＣＰＵ２５及びレコーダＲ又はＲＣＣにおけるシステム制御部５４として夫々機能させるように構成することも可能である。
また、本発明は上述した実施形態に限定されるものではなく、請求の範囲を超えない範囲で種々の変更を行うことができるのは勿論である。
例えば、上述した実施形態に係るレコーダＲ（情報記録装置）及びＤＶＤプレーヤＰ（情報再生装置）は、画質劣化処理を実行して記録情報を再生するとき、再生後の記録情報に含まれる複写制御情報を、元の記録情報に含まれる変換後複写制御情報に基づいて設定したが、画質劣化処理前に適用される複写制御情報と当該画質劣化処理の形態とに従って、記録情報に含まれる複写制御情報を予め設定しても良い。より具体的には、例えば記録情報が、それに含まれる複写制御情報が複写禁止（Ｎｅｖｅｒ  Ｃｏｐｙ）を示すハイビジョン（ＨＤ）コンテンツである時、レコーダＲ（情報記録装置）は、それをハイビジョンクオリティのままＤＶＤ１に記録することは禁止するが、スタンダード（ＳＤ）にダウンコンバートして（質を落として）ＤＶＤ１に記録することは許可し、ＤＶＤ１に記録された記録情報に含まれる複写制御情報を、例えば複製記録禁止状態（Ｎｏ  Ｍｏｒｅ  Ｃｏｐｙ）に設定しても良い。
一方、ＤＶＤプレーヤＰ（情報再生装置）であれば、それに含まれる複写制御情報が複写禁止を示す記録情報としてのハイビジョン（ＨＤ）コンテンツが記録されたＤＶＤ１を再生する時、そのまま、即ちハイビジョンクオリティでの再生時には、出力する記録情報に含まれる複写制御情報を複製禁止に設定し、スタンダードにダウンコンバートして再生出力する場合には、出力する記録情報に含まれる複写制御情報を例えば一回のみ複製が可能な複写制御情報（Ｏｎｅ  Ｍｏｒｅ  Ｃｏｐｙ）に設定するように構成することも可能である。
【図１】
2004025955.tif 000003
【図２】
2004025955.tif 000004
【図３】
2004025955.tif 000005
【図４】
2004025955.tif 000006
【図５】
2004025955.tif 000007
【図６】
2004025955.tif 000008
【図７】
2004025955.tif 000009
【図８】
2004025955.tif 000010
【図９】
2004025955.tif 000011
【図１０】
2004025955.tif 000012
【図１１】
2004025955.tif 000013
【図１２】
2004025955.tif 000014
【図１３】
2004025955.tif 000015
【図１４】
2004025955.tif 000016
【図１５】
2004025955.tif 000017
【図１６】
2004025955.tif 000018
【図１７】
2004025955.tif 000019
【図１８】
2004025955.tif 000020
【図１９】
2004025955.tif 000021
【図２０】
2004025955.tif 000022
【図２１】
2004025955.tif 000023
【図２２】
2004025955.tif 000024
【国際調査報告】
2004025955.tif 000025
2004025955.tif 000026